(57)【要約】  節電スキームでは、ワイヤレスシステム内のデバイスが節電モードで動作することができる時間の量を増大するために、シグナリングおよび情報転送がスケジュールされる。ビーコン間隔中で、シグナリングに関して、および情報転送に関して、複数の時間期間が割り振られる。シグナリングブロック中の制御シグナリングは、所与のデバイスが、ビーコン間隔中の後続の情報転送期間中に情報転送のためにアウェイクするべきであるかどうかを示す。したがって、このインジケーションに基づいて、デバイスは、情報転送期間中にアウェイクするべきかまたはスリープするべきかを決定する。【選択図】図５
2016513890.tif 000002
【特許請求の範囲】
【請求項１】
ワイヤレス通信用に構成された装置であって、
ビーコン間隔内で複数のシグナリング期間と複数の情報転送期間とを指定するスケジュールを受信するように構成され、前記シグナリング期間のうちの特定の１つの中で制御信号を受信するようにさらに構成された受信機、ここにおいて、前記シグナリング期間の各々は、その後に前記ビーコン間隔内の前記情報転送期間のそれぞれ１つが続く、と、
前記特定のシグナリング期間の後に続く、前記情報転送期間のうちの特定の１つの中で情報を転送するために、前記特定のシグナリング期間中に前記制御信号を受信する結果として、アクティブ状態で動作するように構成された処理システムと
を備える装置。
【請求項２】
前記制御信号は、ヌルデータパケット（ＮＤＰ）ページングフレームを備える、
請求項１に記載の装置。
【請求項３】
前記情報転送期間は、前記装置のためのウェイク時間に対応する、
請求項１に記載の装置。
【請求項４】
前記特定の情報転送期間は、前記特定のシグナリング期間の後に、スリープ期間をおいて続く、
請求項１に記載の装置。
【請求項５】
前記制御信号は、前記装置のための情報転送が、前記特定の情報転送期間中の前記特定のシグナリング期間の後に続くべきかどうかを示す、
請求項１に記載の装置。
【請求項６】
前記処理システムは、前記情報を転送するために、前記特定の情報転送期間中に前記アクティブ状態を起動するかどうかを決定するようにさらに構成され、
前記決定は、前記制御信号が前記装置のための情報転送が前記特定のシグナリング期間の後に続くべきであることを示すかどうかに基づく
請求項５に記載の装置。
【請求項７】
前記処理システムは、前記制御信号の前記受信の結果として、前記特定の情報転送期間中に情報転送を起動すると決定するようにさらに構成され、
前記装置は、前記情報転送を起動するための前記決定の結果として、節電ポール（ＰＳ  Ｐｏｌｌ）インジケーションを送信するように構成された送信機をさらに備える
請求項１に記載の装置。
【請求項８】
前記スケジュールは、親装置から受信され、
前記装置は、前記親装置のサービスセット識別子を再ブロードキャストするように構成された送信機をさらに備える、
請求項１に記載の装置。
【請求項９】
通信の方法であって、
ビーコン間隔内で複数のシグナリング期間と複数の情報転送期間とを指定するスケジュールを受信すること、ここにおいて、前記シグナリング期間の各々は、その後に前記ビーコン間隔内の前記情報転送期間のそれぞれ１つが続く、と、
前記シグナリング期間のうちの特定の１つの中で制御信号を受信することと、
前記特定のシグナリング期間中に前記制御信号を受信する結果として、前記特定のシグナリング期間の後に続く、前記情報転送期間のうちの特定の１つの中で情報を転送するためにアクティブ状態で動作することと
を備える方法。
【請求項１０】
前記制御信号は、ヌルデータパケット（ＮＤＰ）ページングフレームを備える、
請求項９に記載の方法。
【請求項１１】
前記情報転送期間は、前記スケジュールを受信する装置のためのウェイク時間に対応する、
請求項９に記載の方法。
【請求項１２】
前記特定の情報転送期間は、前記特定のシグナリング期間の後に、スリープ期間をおいて続く、
請求項９に記載の方法。
【請求項１３】
前記制御信号は、前記スケジュールを受信する装置のための情報転送が、前記特定の情報転送期間中の前記特定のシグナリング期間の後に続くべきかどうかを示す、
請求項９に記載の方法。
【請求項１４】
前記情報を転送するために、前記特定の情報転送期間中に前記アクティブ状態を起動するかどうかを決定することをさらに備え、前記決定は、前記制御信号が前記装置のための情報転送が前記特定のシグナリング期間の後に続くべきであることを示すかどうかに基づく、
請求項１３に記載の方法。
【請求項１５】
前記スケジュールは、親装置から第１の装置によって受信され、
前記第１の装置は、前記親装置のサービスセット識別子を再ブローキャストする、
請求項９に記載の方法。
【請求項１６】
ワイヤレス通信用に構成された装置であって、
ビーコン間隔内で複数のシグナリング期間と複数の情報転送期間とを指定するスケジュールを定義するように構成され、他の装置が前記シグナリング期間のうちの特定の１つの後に続く、前記情報転送期間のうちの特定の１つの中で情報を転送するためにアクティブ状態で動作するべきであると決定するようにさらに構成された処理システム、ここにおいて、前記シグナリング期間の各々は、その後に前記ビーコン間隔内の前記情報転送期間のそれぞれ１つが続く、と、
前記決定の結果として、前記特定のシグナリング期間中に制御信号を前記他の装置に送信するように構成された送信機と
を備える装置。
【請求項１７】
前記制御信号は、ヌルデータパケット（ＮＤＰ）ページングフレームを備える、
請求項１６に記載の装置。
【請求項１８】
前記情報転送期間は、前記他の装置のためのウェイク時間に対応する、
請求項１６に記載の装置。
【請求項１９】
前記特定の情報転送期間は、前記特定のシグナリング期間の後に、スリープ期間をおいて続く、
請求項１６に記載の装置。
【請求項２０】
前記制御信号は、前記他の装置のための情報転送が、前記特定の情報転送期間中の前記特定のシグナリング期間の後に続くべきかどうかを示す、
請求項１６に記載の装置。
【請求項２１】
パケットを受信することと、
前記パケットの宛先を識別するために前記パケットを処理することと、
それを介して前記パケットが前記宛先に送られることが可能な経路の一部であるとして前記他の装置を識別すること、ここにおいて、前記他の装置がアクティブ状態で動作するべきであるという前記決定が、前記経路の一部であるという前記他の装置の前記識別に基づく、と、
前記特定の情報転送期間中に前記パケットを前記他の装置に転送することと
をさらに備える、請求項１６に記載の装置。
【請求項２２】
前記処理システムは、前記装置の電力消費要件、前記他の装置の電力消費要件、前記装置におけるトラフィックに関連付けられたレイテンシ要件、前記他の装置におけるトラフィックに関連付けられたレイテンシ要件、または前記装置がメンバである装置のマルチホップ階層のレベルの数のうちの少なくとも１つに基づいて、前記シグナリング期間および前記情報転送期間を定義するようにさらに構成される、
請求項１６に記載の装置。
【請求項２３】
前記装置は、マルチホップ階層内で展開される装置のセットのメンバであり、
前記装置は、装置の前記セットの任意の他の装置からスケジューリング情報を受信せずに前記スケジュールを定義する、
請求項１６に記載の装置。
【請求項２４】
前記装置は、親装置に関連付けられ、
前記装置は、前記親装置のサービスセット識別子を再ブローキャストする、
請求項１６に記載の装置。
【請求項２５】
通信の方法であって、
ビーコン間隔内で複数のシグナリング期間と複数の情報転送期間とを指定するスケジュールを定義すること、ここにおいて、前記シグナリング期間の各々は、その後に前記ビーコン間隔内の前記情報転送期間のそれぞれ１つが続く、と、
装置が、前記シグナリング期間のうちの特定の１つの後に続く、前記情報転送期間のうちの特定の１つの中で情報を転送するためにアクティブ状態で動作するべきであると決定することと、
前記決定の結果として、前記特定のシグナリング期間中に制御信号を前記装置に送信することと
を備える方法。
【請求項２６】
前記制御信号は、ヌルデータパケット（ＮＤＰ）ページングフレームを備える、
請求項２５に記載の方法。
【請求項２７】
前記情報転送期間は、前記装置のためのウェイク時間に対応する、
請求項２５に記載の方法。
【請求項２８】
前記特定の情報転送期間は、前記特定のシグナリング期間の後に、スリープ期間をおいて続く、
請求項２５に記載の方法。
【請求項２９】
前記制御信号は、前記装置のための情報転送が、前記特定の情報転送期間中の前記特定のシグナリング期間の後に続くべきかどうかを示す、
請求項２５に記載の方法。
【請求項３０】
前記スケジュールは、親装置に関連付けられた他の装置によって定義され、
前記他の装置は、前記親装置のサービスセット識別子を再ブローキャストする、
請求項２５に記載の方法。
【発明の詳細な説明】
【関連出願】
【０００１】
関連出願の相互参照  
[0001]本出願は、その開示の全体が参照により本明細書に組み込まれる、本願の譲受人が所有する、２０１３年３月１日に出願された、代理人整理番号第１３１６９３Ｐ１を割り当てられた米国仮特許出願第６１／７７１，４２０号、および「SCHEDULING FOR SIGNALING AND INFORMATION TRANSER」という表題の、２０１４年２月２７日に出願された、米国非仮特許出願第１４／１９２，８２３号の利点、ならびにそれらの優先権を主張する。
【技術分野】
【０００２】
[0002]本出願は、一般に、ワイヤレス通信に関し、より詳細には、限定はしないが、通信スケジューリングに関する。
【背景技術】
【０００３】
序論  
[0003]通信ネットワークは、ユーザがいくつかの対話している空間的に分離されたデバイスの間でメッセージを交換するのを可能にする。通信ネットワークは、たとえば、広域、メトロポリタンエリア、ローカルエリア、またはパーソナルエリアであり得る地理的な範囲に従って分類され得る。そのようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定され得る。通信ネットワークはまた、様々なネットワーク装置およびデバイスを相互接続するために用いられる交換技法ならびに／または経路指定技法により異なる。たとえば、通信ネットワークは、回路交換、パケット交換、またはそれらの２つの何らかの組合せを使用することができる。通信ネットワークは、送信のために用いられ得る物理媒体のタイプによって異なり得る。たとえば、通信ネットワークは、ワイヤード通信、ワイヤレス通信、または両方のタイプの通信をサポートし得る。通信ネットワークは、通信プロトコルの異なるセットを使用することも可能である。そのような通信プロトコルの例としては、インターネットプロトコル（ＩＰ）スイート、同期光ネットワーク（ＳＯＮＥＴ）プロトコル、およびイーサネット（登録商標）プロトコルがある。
【０００４】
[0004]一般に、ワイヤレスネットワークは、無線、マイクロ波、赤外線、光、または他の周波数帯域内の電磁波を使用する非誘導伝搬モードでは、無形の物理媒体を用いる。したがって、ワイヤレスネットワークは、固定ワイヤードネットワークと比較して、ユーザモビリティと迅速なフィールド展開とを容易にするためにより良好に適合され得る。たとえば、ワイヤレスネットワークは、モバイルであり、動的接続性ニーズを有するネットワーク要素を容易にサポートする。ワイヤレスネットワークの使用はまた、固定トポロジーではなく、アドホックトポロジーを有するネットワークアーキテクチャを提供することが望ましいシナリオに関して好ましい場合がある。
【０００５】
[0005]いくつかのタイプのワイヤレスネットワークは、１つまたは複数のアクセスポイントを用い、それによって、各アクセスポイントは、近くのユーザデバイスのための１つまたは複数のサービス（たとえば、ネットワーク接続性）に対するアクセスを提供する。これらのユーザデバイスは、一般に、携帯性を可能にするためにバッテリ電源式である。そのようなユーザデバイスのバッテリリソースを節約するために、ユーザデバイスは、一般に、節電モードを用いる。たとえば、ユーザデバイスは、そのユーザデバイスが非アクティブであるときはいつでも節電モードに入る。しかしながら、任意の近くのアクセスポイントとの接続性を維持するために、ユーザデバイスは、（たとえば、そのアクセスポイントがそのユーザデバイスに送るための何らかの情報を有するかどうかを決定するために）アクティブモードに周期的に切り替わる。対照的に、アクセスポイントは、そのアクセスポイントの近傍にあるいずれかのユーザデバイスがそのアクセスポイントと容易に通信することが可能になることを確実にするために、常にアクティブモードで動作する。
【発明の概要】
【０００６】
[0006]本開示のいくつかの例示的な態様の概要は以下の通りである。この概要は、そのような態様の基本的理解を与えるために、読者の便宜のために与えられるものであり、本開示の幅を完全に定義するとは限らない。この概要は、すべての企図された態様の包括的な概観ではなく、すべての態様の主要なまたは重要な要素を識別するものでも、いずれかまたはすべての態様の範囲を定めるものでもない。その唯一の目的は、後で提示するより詳細な説明の導入として、１つまたは複数の態様のいくつかの概念を簡略化された形態で提示することである。便宜上、本開示の単一の態様または複数の態様を指すために本明細書では、いくつかの態様という用語が使用され得る。
【０００７】
[0007]本開示は、いくつかの態様では、改善された節電スキームに関する。いくつかの態様では、ワイヤレスシステム内のデバイスが節電モードで動作することができる時間量を最大化するのを容易にするように、制御シグナリングおよび情報転送がスケジュールされる。ここで、ビーコン間隔中のシグナリングに関する、および情報転送に関する複数の時間期間（たとえば、持続期間またはブロック）が割り振られる。シグナリングブロック中の制御シグナリングは、所与のデバイスが、後続の情報転送期間中に情報転送のためにアウェイクするべきであるかどうかを示す。したがって、このインジケーションに基づいて、デバイスは、１）情報転送を行うために、情報転送期間中にアウェイクするか、または２）情報転送期間中にスリープするかを決定する。
【０００８】
[0008]デバイスは、データ送信またはデータ受信のいずれかのためにアウェイクし得る。たとえば、第１のデバイスは、そのデバイスがデータを第２のデバイスに転送する必要がある場合、アウェイクする。反対に、第１のデバイスは、そのデバイスが第２のデバイスからデータを受信する必要がある場合、アウェイクする。
【０００９】
[0009]いくつかの実装形態では、シグナリングは、ヌルデータパケット（ＮＤＰ）ページングフレームを備える。たとえば、Ｗｉ−Ｆｉ（登録商標）（すなわち、ＩＥＥＥ８０２．１１ベースの）アクセスポイント（ＡＰ）は、第２の指定された期間（たとえば、移動局（ＳＴＡ）のための次回のターゲットウェイク時間（ＴＷＴ））中にＳＴＡのための情報転送が存在することになることを示すために、第１の指定された期間中にＮＤＰページングフレームをＳＴＡに送信することができる。したがって、この場合、第１の指定された期間はシグナリング期間に対応し、ＴＷＴは上で論じた情報転送期間に対応する。
【００１０】
[0010]節電スキームは、１つまたは複数の中継デバイスを含むワイヤレスシステム内で有利に用いられ得る。典型的な実装形態では、中継デバイスは、アクセスポイントのカバレッジ領域を拡張するために使用される。この目的で、中継デバイスは、アクセスポイント（たとえば、ワイヤードアクセスポイントまたは他の中継デバイス）と１つもしくは複数の範囲外のデバイス（たとえば、ユーザデバイスおよび／または他の中継デバイス）との間で情報を転送する。
【００１１】
[0011]本明細書の教示による制御シグナリングおよび情報スケジューリングプロトコルを用いることによって、中継デバイスは、（たとえば、送信制御プロトコル（ＴＣＰ）シナリオの場合）ワイヤレスシステム内のレイテンシ要件を満たしながら、（たとえば、可能な限り）節電モードで動作することができる。さらに、いくつかの態様では、これらの利点は、ワイヤレスシステム内のデバイス間にかなりの量の新しいシグナリングの必要なしに、達成され得る。
【００１２】
[0012]本開示の様々な態様は、ワイヤレス通信用に構成された装置を提供する。この装置は、ビーコン間隔内で複数のシグナリング期間と複数の情報転送期間とを指定するスケジュールを受信するように構成され、シグナリング期間のうちの特定の１つの中で制御信号を受信するようにさらに構成された受信機と、ここにおいて、シグナリング期間の各々は、その後にビーコン間隔内の情報転送期間のうちのそれぞれ１つが続く、特定のシグナリング期間中に制御信号を受信する結果として、特定のシグナリング期間の後に続く、情報転送期間のうちの特定の１つの中で情報を転送するためにアクティブ状態で動作するように構成された処理システムとを備える。
【００１３】
[0013]本開示の別の態様は、ワイヤレス通信の方法を提供する。この方法は、ビーコン間隔内で複数のシグナリング期間と複数の情報転送期間とを指定するスケジュールを受信することと、ここにおいて、シグナリング期間の各々は、その後にビーコン間隔内の情報転送期間のうちのそれぞれ１つが続く、シグナリング期間のうちの特定の１つの中で制御信号を受信することと、特定のシグナリング期間中に制御信号を受信する結果として、特定のシグナリング期間の後に続く、情報転送期間のうちの特定の１つの中で情報を転送するためにアクティブ状態で動作することとを備える。
【００１４】
[0014]本開示のまたさらなる態様は、ワイヤレス通信用に構成された他の装置を提供する。この装置は、ビーコン間隔内で複数のシグナリング期間と複数の情報転送期間とを指定するスケジュールを受信するための手段と、ここにおいて、受信するための手段は、シグナリング期間のうちの特定の１つの中で制御信号を受信するように構成され、ここにおいて、シグナリング期間の各々は、その後にビーコン間隔内の情報転送期間のうちのそれぞれ１つが続く、特定のシグナリング期間中に制御信号を受信する結果として、特定のシグナリング期間の後に続く、情報転送期間のうちの特定の１つの中で情報を転送するためにアクティブ状態で動作するための手段とを備える。
【００１５】
[0015]本開示の追加の態様は、コンピュータ可読媒体を備えるコンピュータプログラム製品を提供する。このコンピュータ可読媒体は、ビーコン間隔内で複数のシグナリング期間と複数の情報転送期間とを指定するスケジュールを受信することと、ここにおいて、シグナリング期間の各々は、その後にビーコン間隔内の情報転送期間のうちのそれぞれ１つが続く、シグナリング期間のうちの特定の１つの中で制御信号を受信することと、特定のシグナリング期間中に制御信号を受信する結果として、特定のシグナリング期間の後に続く、情報転送期間のうちの特定の１つの中で情報を転送するためにアクティブ状態で動作することとを行うように実行可能なコードを備える。
【００１６】
[0016]本開示の他の態様は、ワイヤレスデバイスを提供する。このワイヤレスデバイスは、アンテナと、アンテナを介して、ビーコン間隔内で複数のシグナリング期間と複数の情報転送期間とを指定するスケジュールを受信するように構成され、シグナリング期間のうちの特定の１つの中で制御信号を受信するようにさらに構成された受信機と、ここにおいて、シグナリング期間の各々は、その後にビーコン間隔内の情報転送期間のそれぞれ１つが続く、特定のシグナリング期間中に制御信号を受信する結果として、特定のシグナリング期間の後に続く、情報転送期間のうちの特定の１つの中で情報を転送するためにアクティブ状態で動作するように構成された処理システムとを備える。
【００１７】
[0017]本開示の様々な態様はまた、ワイヤレス通信用に構成された装置を提供する。この装置は、ビーコン間隔内で複数のシグナリング期間と複数の情報転送期間とを指定するスケジュールを定義するように構成され、他の装置が、シグナリング期間のうちの特定の１つの後に続く、情報転送期間のうちの特定の１つの中で情報を転送するためにアクティブ状態で動作するべきであると決定するようにさらに構成された処理システムと、ここにおいて、シグナリング期間の各々は、その後にビーコン間隔内の情報転送期間のうちのそれぞれ１つが続く、その決定の結果として、特定のシグナリング期間中に制御信号を他の装置に送信するように構成された送信機とを備える。
【００１８】
[0018]本開示のさらなる態様は、ワイヤレス通信の方法を提供する。この方法は、ビーコン間隔内で複数のシグナリング期間と複数の情報転送期間とを指定するスケジュールを定義することと、ここにおいて、シグナリング期間の各々は、その後にビーコン間隔内の情報転送期間のうちのそれぞれ１つが続く、装置が、シグナリング期間のうちの特定の１つの後に続く、情報転送期間のうちの特定の１つの中で情報を転送するためにアクティブ状態で動作するべきであると決定することと、その決定の結果として、特定のシグナリング期間中に制御信号をその装置に送信することとを備える。
【００１９】
[0019]本開示のまたさらなる態様は、ワイヤレス通信用に構成された他の装置を提供する。この装置は、ビーコン間隔内で複数のシグナリング期間と複数の情報転送期間とを指定するスケジュールを定義するための手段と、ここにおいて、シグナリング期間の各々は、その後にビーコン間隔内の情報転送期間のうちのそれぞれ１つが続く、他の装置が、シグナリング期間のうちの特定の１つの後に続く、情報転送期間のうちの特定の１つの中で情報を転送するためにアクティブ状態で動作するべきであると決定するための手段と、その決定の結果として、特定のシグナリング期間中に制御信号を他の装置に送信するための手段とを備える。
【００２０】
[0020]本開示の追加の態様は、コンピュータ可読媒体を備えるコンピュータプログラム製品を提供する。このコンピュータ可読媒体は、ビーコン間隔内で複数のシグナリング期間と複数の情報転送期間とを指定するスケジュールを定義することと、ここにおいて、シグナリング期間の各々は、その後にビーコン間隔内の情報転送期間のうちのそれぞれ１つが続く、装置が、シグナリング期間のうちの特定の１つの後に続く、情報転送期間のうちの特定の１つの中で情報を転送するためにアクティブ状態で動作するべきであると決定することと、その決定の結果として、特定のシグナリング期間中に制御信号をその装置に送信することとを行うように実行可能なコードを備える。
【００２１】
[0021]本開示の他の態様は、ワイヤレスデバイスを提供する。このワイヤレスデバイスは、アンテナと、ビーコン間隔内で複数のシグナリング期間と複数の情報転送期間とを指定するスケジュールを定義するように構成され、装置が、シグナリング期間のうちの特定の１つの後に続く、情報転送期間のうちの特定の１つの中で情報を転送するためにアクティブ状態で動作するべきであると決定するようにさらに構成された処理システムと、ここにおいて、シグナリング期間の各々は、その後にビーコン間隔内の情報転送期間のうちのそれぞれ１つが続く、その決定の結果として、アンテナを介して特定のシグナリング期間中に制御信号を他の装置に送信するように構成された送信機とを備える。
【図面の簡単な説明】
【００２２】
[0022]本開示のこれらおよび他の例示的な態様について、以下の詳細な説明および特許請求の範囲、ならびに添付の図面において説明する。
【図１】本開示の１つまたは複数の態様が適用例を見つけ得るネットワーク環境の一例を示す図。
【図２】本開示のいくつかの態様による、装置間の通信を示すブロック図。
【図３】本開示のいくつかの態様による、制御および情報シグナリングの一例を示す図。
【図４】本開示のいくつかの態様による、スケジューリングに関する、いくつかの例示的な動作を示すフローチャート。
【図５】本開示のいくつかの態様による、アクティブ状態で動作することに関する、いくつかの例示的な動作を示すフローチャート。
【図６】本開示のいくつかの態様による、アクティブ状態で動作することに関する、いくつかの追加の例示的な動作を示すフローチャート。
【図７】本開示のいくつかの態様による、制御信号を送信することに関する、いくつかの例示的な動作を示すフローチャート。
【図８】本開示のいくつかの態様による、制御信号を送信することに関する、いくつかの追加の例示的な動作を示すフローチャート。
【図９】ワイヤレス通信システム内の階層の一例を示す図。
【図１０】本開示のいくつかの態様による第１のスケジューリングプロトコルの第１の実装形態の例示的な態様を示す図。
【図１１】本開示のいくつかの態様による第１のスケジューリングプロトコルの第２の実装形態の例示的な態様を示す図。
【図１２】本開示のいくつかの態様による第１のスケジューリングプロトコルの第３の実装形態の例示的な態様を示す図。
【図１３】本開示のいくつかの態様による、第１のプロトコルに関する動作のいくつかの例示的な態様を示すフローチャート。
【図１４】本開示のいくつかの態様による第２のスケジューリングプロトコルの例示的な態様を示す概略図。
【図１５】本開示のいくつかの態様による、図１４のスケジューリングプロトコルの第１の実装形態の例示的な態様を示す概略図。
【図１６】本開示のいくつかの態様による、図１４のスケジューリングプロトコルの第２の実装形態の例示的な態様を示す概略図。
【図１７】本開示のいくつかの態様による、図１４のスケジューリングプロトコルの第３の実装形態の例示的な態様を示す概略図。
【図１８】本開示のいくつかの態様による、第２のプロトコルに関する動作のいくつかの例示的な態様を示すフローチャート。
【図１９】ワイヤレス通信システム内で用いられ得る例示的な装置の機能ブロック図。
【図２０】ワイヤレス通信を送信するために、図１９の装置において利用され得る例示的な構成要素の機能ブロック図。
【図２１】ワイヤレス通信を受信するために、図１９の装置において利用され得る例示的な構成要素の機能ブロック図。
【図２２】本開示のいくつかの態様による、通信ノード内で用いられ得る構成要素の例を示すブロック図。
【図２３】本開示のいくつかの態様による、スケジューリングプロトコルに関する機能で構成された装置のいくつかの例示的な態様の簡素化ブロック図。
【図２４】本開示のいくつかの態様による、スケジューリングプロトコルに関する機能で構成された装置のいくつかの例示的な態様の簡素化ブロック図。
【図２５】本開示のいくつかの態様による、スケジューリングプロトコルに関する機能で構成された装置のいくつかの例示的な態様の簡素化ブロック図。
【図２６】本開示のいくつかの態様による、スケジューリングプロトコルに関する機能で構成された装置のいくつかの例示的な態様の簡素化ブロック図。
【図２７】本開示のいくつかの態様による、スケジューリングプロトコルに関する機能で構成された装置のいくつかの例示的な態様の簡素化ブロック図。
【図２８】本開示のいくつかの態様による、スケジューリングプロトコルに関する機能で構成された装置のいくつかの例示的な態様の簡素化ブロック図。
【００２３】
[0046]慣例により、図面に示す特徴は、明快のために簡略化され、概して、一定の縮尺で描かれていない。すなわち、これらの特徴の寸法および間隔は、たいていの場合、明快のために拡張または縮小される。さらに、説明のために、図面は、概して、一般に所与の装置（たとえば、デバイス）または方法において用いられる構成要素のすべてを示しているとは限らない。最後に、本明細書および図の全体にわたって、同様の特徴を示すために同様の参照番号が使用され得る。
【発明を実施するための形態】
【００２４】
[0047]本開示の様々な態様が以下で説明される。本明細書の教示は多種多様な形態で具現化されることが可能であり、本明細書で開示されている任意の特定の構造、機能、またはその両方は代表的なものにすぎないことは明らかであろう。本明細書の教示に基づいて、本明細書で開示される態様は任意の他の態様とは独立に実装され得ること、およびこれらの態様のうちの２つ以上を様々な方法で組み合わせることができることを、当業者は諒解されよう。たとえば、本明細書に記載の態様をいくつ使用しても、装置を実装し、または方法を実践することができる。さらに、本明細書に記載の態様のうちの１つまたは複数に加えて、または、それら以外の、他の構造、機能、または構造および機能を使用して、そのような装置を実装し、またはそのような方法を実践することができる。さらに、本明細書で開示するどの態様も請求項の１つまたは複数の要素によって具現化され得る。たとえば、通信の方法は、ビーコン間隔内で複数のシグナリング期間と複数の情報転送期間とを指定するスケジュールを受信することと、ここにおいて、シグナリング期間の各々は、その後にビーコン間隔内の情報転送期間のうちのそれぞれ１つが続く、シグナリング期間のうちの特定の１つの中で制御信号を受信することと、特定のシグナリング期間中に制御信号を受信する結果として、特定のシグナリング期間の後に続く、情報転送期間のうちの特定の１つの中で情報を転送するためにアクティブ状態で動作することとを備え得る。さらに、いくつかの態様では、制御信号は、ヌルデータパケット（ＮＤＰ）ページングフレームを備え得る。
【００２５】
[0048]ワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近接デバイスを互いに相互接続するために使用され得る。本明細書で説明する様々な態様は、Ｗｉ−Ｆｉ、またはより一般的には、ワイヤレスプロトコルのＩＥＥＥ  ８０２．１１ファミリの任意のメンバなどの任意の通信規格に適用することができる。
【００２６】
[0049]いくつかの態様では、ワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１プロトコルに従って送信され得る。
【００２７】
[0050]本明細書で説明するデバイスのうちのいくつかは、さらに、多入力多出力（ＭＩＭＯ）技術を実装し、８０２．１１プロトコルの一部として実装され得る。ＭＩＭＯシステムは、データ送信のための複数（ＮT）個の送信アンテナと複数（ＮR）個の受信アンテナとを用いる。ＮT個の送信アンテナおよびＮR個の受信アンテナによって形成されるＭＩＭＯチャネルは、空間チャネルまたは空間ストリームとも呼ばれる、ＮS個の独立チャネルに分解され得、この場合、ＮS≦ｍｉｎ｛ＮT，ＮR｝である。ＮS個の独立チャネルの各々は１つの次元に対応する。複数の送信アンテナおよび受信アンテナによって作成された追加の次元数が利用された場合、ＭＩＭＯシステムは改善された性能（たとえば、より高いスループットおよび／またはより大きい信頼性）を与えることができる。
【００２８】
[0051]いくつかの実装形態では、ＷＬＡＮは、ワイヤレスネットワークにアクセスする様々なデバイスを含む。たとえば、２つのタイプのデバイス、すなわち、アクセスポイント（「ＡＰ」）および（ステーションまたは「ＳＴＡ」とも呼ばれる）クライアントが存在する場合がある。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉＦｉ（登録商標）（たとえば、ＩＥＥＥ  ８０２．１１プロトコル）準拠ワイヤレスリンクを介してＡＰに接続する。いくつかの実装形態では、ＳＴＡはＡＰとして使用される場合もある。
【００２９】
[0052]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、送受信機機能（「ＴＦ」）、無線ルータ、無線送受信機、もしくは何らかの他の用語を備え、それらのいずれかとして実装され、またはそれらのいずれかとして知られ得る。
【００３０】
[0053]局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続機能を有するハンドヘルドデバイス、またはワイヤレスモデムに接続された何らかの他の適切な処理デバイスを備える場合がある。したがって、本明細書で教示される１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【００３１】
[0054]図１は、本開示の態様が用いられ得るワイヤレス通信システム１００の一例を示す。ワイヤレス通信システム１００は、ワイヤレス規格、たとえば８０２．１１規格に従って動作することができる。ワイヤレス通信システム１００は、ＳＴＡ１０６ａ、１０６ｂ、１０６ｃ、１０６ｄ、１０６ｅ、および１０６ｆ（総称してＳＴＡ１０６）と通信するＡＰ１０４を含み得る。
【００３２】
[0055]ＳＴＡ１０６ｅは、ＡＰ１０４と通信するのが困難な場合があるか、または範囲外にあり、ＡＰ１０４と通信することができない場合がある。したがって、他のＳＴＡ１０６ｄは、ＡＰ１０４とＳＴＡ１０６ｅおよび１０６ｆとの間の通信を中継する中継デバイス（たとえば、ＳＴＡ機能とＡＰ機能とを備えたデバイス）として構成され得る。
【００３３】
[0056]様々なプロセスおよび方法は、ＡＰ１０４とＳＴＡ１０６との間のワイヤレス通信システム１００における送信に使用される場合がある。たとえば、信号は、ＯＦＤＭ／ＯＦＤＭＡ技法に従って、ＡＰ１０４とＳＴＡ１０６との間で送受信される場合がある。この場合、ワイヤレス通信システム１００は、ＯＦＤＭ／ＯＦＤＭＡシステムと呼ばれる場合がある。代替として、信号は、ＣＤＭＡ技法に従って、ＡＰ１０４とＳＴＡ１０６との間で送受信される場合がある。この場合、ワイヤレス通信システム１００は、ＣＤＭＡシステムと呼ばれる場合がある。
【００３４】
[0057]ＡＰ１０４からＳＴＡ１０６のうちの１つまたは複数への送信を容易にする通信リンクはダウンリンク（ＤＬ）１０８と呼ばれる場合があり、ＳＴＡ１０６のうちの１つまたは複数からＡＰ１０４への送信を容易にする通信リンクはアップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【００３５】
[0058]ＡＰ１０４は、基地局として働き、基本サービスエリア（ＢＳＡ）１０２においてワイヤレス通信カバレージを提供することができる。ＡＰ１０４は、ＡＰ１０４に関連付けられる、また通信のためにＡＰ１０４を使用するＳＴＡ１０６とともに、基本サービスセット（ＢＳＳ）と呼ばれ得る。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実行され得る。
【００３６】
[0059]アクセスポイント１０４ａは、ワイヤレス通信システム１００内でコンテンション期間またはコンテンションフリー期間のいずれかの間にステーション１０６ｂと通信することができる。ワイヤレス通信システム１００に関するコンテンション期間の間、ステーション１０６ｂとアクセスポイント１０４ａとの間の送信は、通信システム１００内の他のワイヤレス局からの送信と衝突する可能性がある。ワイヤレス通信システム１００の利用に応じて、衝突レートは変化し得る。ワイヤレス通信システム１００が比較的頻繁に利用されているとき、１つまたは複数の衝突を経験する送信の割合は、ワイヤレス通信システム１００があまり頻繁に利用されていないときよりも比較的より高い可能性がある。ワイヤレス通信システム１００の頻繁な利用の間に経験する衝突は、ワイヤレス通信システム１００のワイヤレスノードによるデータの受信を妨げる可能性がある。
【００３７】
[0060]上述のように、デバイスが他のデバイスとアクティブに通信していないとき、そのデバイスは（たとえば、電力リソースを節約するために）節電モードに入ることができる。しかしながら、近くのデバイスとの接続性を維持するために、デバイスは周期的にアクティブモードに切り替わる。本明細書の教示によれば、節電モードは、中継デバイスを用いる通信システム内で有利に用いられ得る。この節電モードを容易にするために、中継器とその親デバイスおよび子デバイスとの間に適切なスケジューリングが定義される。
【００３８】
[0061]図２は、中継器２０２と、ＡＰ２０４と、ＳＴＡ２０６とを用いる通信システム２００の一例を示す。本明細書で論じるように、中継器２０２は、ＡＰ２０４と通信するためのＳＴＡ２０８、ならびにＳＴＡ２０６と通信するためのＡＰ２１０を含む。このようにして、中継器２０２は、破線２１２によって示すように、情報をＡＰ２０４からＳＴＡ２０６に転送することができ、逆もまた可能である。
【００３９】
[0062]システム２００は、システム内の構成要素が制御信号を受信して、情報転送を行うために、いつアウェイクするべきかを指定する節電スケジュール２１４を実装する。節電スケジュールは、様々な方法で定義され得る。
【００４０】
[0063]いくつかの実装形態では、中央制御ノード（たとえば、ワイヤレスアクセスポイント、ネットワークノード、または何らかの他のエンティティ）は、通信システムのすべてまたはサブセット（たとえば、ノードの階層）に関するスケジュールを定義する。この場合、中央制御エンティティは、そのスケジュールによって影響を受けるノードのすべてにそのスケジュールを配信する。注目すべきことに、この配信は、システム内にノードの再構成（たとえば、ノードが追加されること、除去されること、または移動されること）が存在するときはいつでも生じることになる。したがって、かなりのシグナリングが中央制御スケジューリング手法に関連付けられ得る。たとえば、図２では、ＡＰ２０４は、（破線２１６によって表されるように）スケジュール情報を中継器２０２に送ることができ、中継器２０２は、（破線２１８によって表されるように）スケジュール情報をＳＴＡ２０６に送ることができる。
【００４１】
[0064]いくつかの実装形態では、特定のスケジュールは各個々のノードのペアに関して定義される。たとえば、ＡＰ２０４および中継器２０２は、ＡＰ２０４と中継器２０２との間の何らかの通信に関するスケジュールを定義するために協力することができる。このスケジューリング情報は、破線２１６によって表されるように通信され得る。この場合、スケジュールは、ＳＴＡ２０８（および、潜在的に、ＡＰ２０４）がいつアクティブまたは非アクティブにされるべきかを示すことができる。別の例では、中継器２０２およびＳＴＡ２０６は、中継器２０２とＳＴＡ２０６との間の何らかの通信に関するスケジュールを定義するために協力することができる。このスケジューリング情報は、破線２１８によって表されるように通信され得る。この場合、スケジュールは、ＳＴＡ２０６（および、潜在的に、ＡＰ２１０）がいつアクティブまたは非アクティブにされるべきかを示すことができる。
【００４２】
[0065]図３は、節電スケジュールに基づいて用いられ得るシグナリング３００の簡素化された例を示す。この例では、ビーコン間隔３０６内で複数のシグナリング期間３０２および関連する情報転送期間３０４が定義される。いくつかの実装形態では、ビーコン間隔３０６は、ターゲットビーコン送信時間（ＴＢＴＴ）である。
【００４３】
[0066]制御信号３０６は、所与のシグナリング期間３０２中に送信される。たとえば、スケジュールは、所与の装置が、この時間中に送信される何らかの制御信号を受信するために、シグナリング期間３０２中にウェイクアップするべきであることを指定することができる。いくつかの実装形態では、制御信号はＮＤＰページングフレームである。
【００４４】
[0067]さらに、このスケジュールは、その装置が、この時間中に転送（たとえば、送信または受信）されるべきスケジュールである任意の情報を転送する（３１０）ために情報転送期間３０４中に条件付きでウェイクアップするべきであることを指定することができる。
【００４５】
[0068]本明細書の教示によれば、この装置は、その装置が、シグナリング期間３０２中に受信された制御信号３０６に基づいて、情報転送期間３０４中にアウェイクする必要があるかどうかを決定することができる。たとえば、ＮＤＰページングフレーム内に含まれるか、またはそれに関連付けられる、１つもしくは複数のパラメータ（たとえば、ビット）は、その装置が続く情報転送期間３０４中にアウェイクするべきであるかどうかを示すことができる。
【００４６】
[0069]いくつかの実装形態では、情報転送期間３０４は、装置に関してスケジュールされたウェイク時間３１２に対応する。たとえば、ターゲット（たとえば、意図された）ウェイク時間が装置に関して定義され得、それによって、装置は、前のシグナリング期間３０２中に受信された制御信号３０６に応じて、これらの時間に条件付きでアウェイクする。
【００４７】
[0070]いくつかの実装形態では、装置は、制御信号３０６を受信した後で、ある時間期間にわたってスリープ状態または非アクティブ状態（たとえば、低電力状態で動作する）になることが可能にされる。たとえば、装置が情報転送３１０のためにウェイクアップする前に非アクティブ状態（最小スリープ持続期間）になることが予想される最小時間期間３１４がスケジュールによって定義され得る。
【００４８】
[0071]図４は、本明細書で教示する節電スケジュールによる、装置のペア（たとえば、中継器のペア）同士の間に発生し得る通信の一例を示すフローチャートである。ブロック４０２から４０８は、第１の装置によって実行される動作に対応する。ブロック４１０から４２０は、第２の装置によって実行される動作に対応する。
【００４９】
[0072]ブロック４０２および４１０によって表されるように、装置は、各装置が装置同士の間の後続の通信のために使用されるスケジュール（たとえば、節電スケジュール）を学習するのを可能にするために、互いに通信する。いくつかの実装形態では、装置はスケジュールに関して合意する。いくつかの実装形態では、装置のうちの１つは、スケジュールを選択して、選択されたスケジュールについて他の装置に知らせる。いくつかの実装形態では、他の装置は、スケジュールを選択して、そのスケジュールを第１の装置および第２の装置に通信することができる。
【００５０】
[0073]ブロック４０４によって表されるように、ある時点において、第１の装置は情報転送動作を開始する。たとえば、第１の装置は、第２の装置に転送されるパケットを生成または受信することができる。
【００５１】
[0074]ブロック４０６によって表されるように、第１の装置は、スケジュールによって指定された時間にＮＤＰページングフレームを送信する。たとえば、ＮＤＰページングフレームは、第２の装置がアウェイクするべきシグナリングブロック（図３）中に送信され得る。
【００５２】
[0075]ブロック４１２によって表されるように、第２の装置は、何らかの制御シグナリングがシグナリングブロック中に存在するかどうかを確認するために、そのスケジュールされた時間にウェイクする。この例では、第２の装置は、ブロック４０６において第１の装置によって送信されたＮＤＰページングフレームを受信する。
【００５３】
[0076]ブロック４１４によって表されるように、第２の装置は、その第２の装置がパケット転送を行うために、後続の情報転送期間（図３）中にアウェイクする必要があるかどうかを決定する。本明細書で論じるように、第２の装置は、受信されたＮＤＰページングフレームに基づいて（たとえば、ＮＤＰページングフレーム内に含まれるか、またはそれに関連付けら得るインジケーションに基づいて）この決定を行う。
【００５４】
[0077]結果的に、第２の装置は後続の情報転送期間中にアウェイクする必要はなく（たとえば、ＮＤＰページングフレームは次のデータ転送が存在することを示さない）、第２の装置に関する動作のフローはブロック４１２に戻ることが可能であり、それによって、第２の装置は、次にスケジュールされたウェイクアップ時間までスリープに戻る。
【００５５】
[0078]結果的に、第２の装置は後続の情報転送期間中にアウェイクする必要があり（たとえば、ＮＤＰページングフレームは次のデータ転送が存在することを示す）、第２の装置に関する動作のフローはブロック４１６に進むことが可能である。本明細書で論じるように、場合によっては、第２の装置は、後続の情報転送期間が開始されるまでスリープに戻る。
【００５６】
[0079]ブロック４０８によって表されるように、第１の装置は、指定された情報転送期間中に適切な情報転送を行う。たとえば、第１の装置は、この指定された時間に、パケットを第２の装置に送信することができる。
【００５７】
[0080]ブロック４１６によって表されるように、第２の装置はまた、情報転送を行う（たとえば、パケットを受信する）ために指定された時間にアウェイクする。
【００５８】
[0081]ブロック４１８によって表されるように、パケットが受信された場合、第２の装置は、その第２の装置がそのパケットに関する最終的な宛先であるかどうかを決定するためにそのパケットを確認することができる。そうである場合、ブロック４２０によって表されるように、第２の装置はそのパケットを処理する。
【００５９】
[0082]そうでない場合、ブロック４２２によって表されるように、第２の装置はそのパケットを他の装置に転送することができる。たとえば、第２の装置は、宛先に対する経路を識別することができ、それによって、第２の装置は、そのパケットをその経路の一部である近傍の装置に送信することができる。ここで、第２の装置は、この転送を達成するために、ブロック４０２〜４０８の動作に類似した動作を実行することができる。この場合、しかしながら、他の装置がアウェイクしているとき、制御シグナリングおよび情報転送が生じることを確実にするために、他の装置によって使用されるスケジュールが続く。
【００６０】
[0083]情報転送が完了した後、第１の装置および第２の装置は非アクティブ状態（低電力モード）に戻ることができる。有利には、情報転送が生じる必要がない場合、第２の装置は、非アクティブ状態に速やかに戻り、その次のシグナリング期間までそこに留まることができる。したがって、本明細書の教示を使用することによって、かなりの節電が達成され得る。
【００６１】
[0084]例示のために、上記の例は、（第１の装置から第２の装置への）一方向の情報のフローを説明した。しかしながら、類似の動作は、（第２の装置から第１の装置への）別の方向で実行され得ることを諒解されたい。
【００６２】
[0085]上述のように、ネットワーク内の装置のうちのいくつかは中継デバイスを備え得る。装置は、したがって、（たとえば、図２に示す）ＡＰ構成要素とＳＴＡ構成要素とを備え得る。この場合、ＡＰ構成要素は、ＳＴＡ構成要素によって受信された親ＡＰのサービスセット識別子（ＳＳＩＤ）を再度ブロードキャストすることができる。
【００６３】
[0086]上記のことに留意して、本明細書の教示による、制御シグナリングおよび情報転送をスケジュールすることに関連して実行され得る動作の例が図５〜図８を参照してより詳細に説明される。例示のために、これらの動作は、特定の装置によって実行されるとして説明される場合がある。しかしながら、これらの動作は、異なる実装形態において異なるタイプの装置によって実行され得ることを諒解されたい。また、本明細書で説明する動作のうちの１つまたは複数は、所与の実装形態では用いられないことがある。
【００６４】
[0087]図５は、本開示のいくつかの態様による、制御シグナリングを受信して、その制御シグナリングに対して行動するための動作を含む方法５００を示す。いくつかの態様では、方法５００は、第２の装置から制御シグナリングを受信し、適用可能な場合、第２の装置との情報転送を行う第１の装置によって実行され得る。いくつかの態様では、方法５００は、図２に示す中継器２０２、ＡＰ２０４、またはＳＴＡ２０６のうちの１つもしくは複数によって実行され得る。他の態様では、方法５００は、処理システム（たとえば、図１９の処理システム１９０４）によって実行され得る。当然、本開示の範囲内の様々な態様では、方法５００は、スケジューリング関連動作をサポートできる任意の適切な装置によって実装され得る。
【００６５】
[0088]ブロック５０２によって表されるように、ビーコン間隔内で複数のシグナリング期間と複数の情報転送期間とを指定するスケジュールが受信される。たとえば、ＳＴＡは親ＡＰからスケジュールを受信することができる。ここで、シグナリング期間の各々は、その後にビーコン間隔内の情報転送期間のそれぞれ１つが続く。たとえば、スケジュールは図３のシグナリングに対応し得る。いくつかの態様では、情報転送期間は、そのスケジュールを受信する装置に関してスケジュールされた（たとえば、ターゲット）ウェイク時間に対応し得る。いくつかの態様では、特定の情報転送期間は、特定のシグナリング期間の後に、そのスケジュールを受信する装置に関するスリープ持続期間（たとえば、ＳＴＡがスリープする最小時間量）をおいて続く。
【００６６】
[0089]ブロック５０４によって表されるように、シグナリング期間のうちの特定の１つの中で制御信号が受信される。たとえば、ＳＴＡは、そのＳＴＡが制御シグナリングを受信するために指定された時間にウェイクアップした後、ＮＤＰページングフレームを受信することができる。いくつかの態様では、制御信号は、そのスケジュールを受信する装置に関する情報転送が、その特定の情報転送期間中に特定のシグナリング期間の後に続くべきかどうかを示すことができる。
【００６７】
[0090]ブロック５０６によって表されるように、ブロック５０４において特定のシグナリング期間中に制御信号を受信する結果として、特定のシグナリング期間の後に続く、情報転送期間のうちの特定の１つの中で情報を転送するためにアクティブ状態動作が実行される。たとえば、ＳＴＡは、この情報転送期間中にＡＰから情報を受信するか、またはＡＰに情報を送信することができる。
【００６８】
[0091]上述のように、場合によっては、受信された情報は他の装置を宛先とする。したがって、装置は、（すなわち、その情報に関する宛先に対する経路に沿った）他の装置に対する転送を起動し得る。
【００６９】
[0092]図６は、本開示のいくつかの態様による、制御シグナリングを受信して、その制御シグナリングに対して行動するための追加の動作を含む方法６００を示す。いくつかの態様では、方法６００は、第２の装置から制御シグナリングを受信し、適用可能な場合、第２の装置との情報転送を行う第１の装置によって実行され得る。いくつかの態様では、方法６００は、図２に示す中継器２０２、ＡＰ２０４、またはＳＴＡ２０６のうちの１つもしくは複数によって実行され得る。他の態様では、方法６００は、処理システム（たとえば、図１９の処理システム１９０４）によって実行され得る。当然、本開示の範囲内の様々な態様では、方法６００は、スケジューリング関連動作をサポートできる任意の適切な装置によって実装され得る。
【００７０】
[0093]ブロック６０２によって表されるように、制御信号は、シグナリング期間のうちの特定の１つの中で受信される。ブロック６０２の動作は、上で論じたブロック５０４の動作に対応し得る。
【００７１】
[0094]オプションのブロック６０４によって表されるように、情報を転送するために、特定の情報転送期間中にアクティブ状態を起動するかどうかについて決定が行われる。いくつかの態様では、この決定は、制御信号がその装置のための情報転送がブロック６０２の特定のシグナリング期間の後に続くべきであることを示すかどうかに基づき得る。
【００７２】
[0095]ブロック６０６によって表されるように、特定の情報転送期間制御信号の受信の結果中に情報転送を起動するかどうかについて決定が下される。たとえば、ＳＴＡは、ＳＴＡが、現在、データを受信すること、またはデータを送信することが可能であるかどうかを決定することができる。そうすることが可能である場合、スケジュールされた情報転送を進めるための判定が行われ得る。
【００７３】
[0096]オプションのブロック６０８によって表されるように、ブロック６０６の決定の結果として、情報転送を起動するためのインジケーションが送信される。たとえば、ＳＴＡは節電ポール（ＰＳ  Ｐｏｌｌ）インジケーションをＡＰに送信することができる。
【００７４】
[0097]図７は、本開示のいくつかの態様による、制御シグナリングを生成および送信するための動作を含む方法７００を示す。いくつかの態様では、方法７００は、第２の装置が情報転送を行う必要があると決定して、その決定に基づいて、制御情報を第２の装置に送る第１の装置によって実行され得る。いくつかの態様では、方法７００は、図２に示す中継器２０２、ＡＰ２０４、またはＳＴＡ２０６のうちの１つもしくは複数によって実行され得る。他の態様では、方法７００は、処理システム（たとえば、図１９の処理システム１９０４）によって実行され得る。当然、本開示の範囲内の様々な態様では、方法７００は、スケジューリング関連動作をサポートできる任意の適切な装置によって実装され得る。
【００７５】
[0098]ブロック７０２によって表されるように、ビーコン間隔内で複数のシグナリング期間と複数の情報転送期間とを指定するスケジュールが定義される。ここで、シグナリング期間の各々は、その後にビーコン間隔内の情報転送期間のそれぞれ１つが続く。この場合も、スケジュールは図３のシグナリングに対応し得る。したがって、いくつかの態様では、情報転送期間は、そのスケジュールを受信する装置に関してスケジュールされた（たとえば、ターゲット）ウェイク時間に対応し得る。さらに、いくつかの態様では、特定の情報転送期間は、特定のシグナリング期間の後に、そのスケジュールを受信する装置に関するスリープ期間（持続期間）（たとえば、ＳＴＡがスリープする最小時間量）をおいて続くことが可能である。
【００７６】
[0099]上で論じたように、装置は、様々な方法でスケジュールを定義し得る。いくつかの実装形態では、装置は、スケジュールパラメータを選択するために他の装置と折衝する。いくつかの実装形態では、装置は他の装置からスケジュールパラメータを受信する。いくつかの実装形態では、装置はスケジュールパラメータを自律的に選択する。たとえば、マルチホップ階層内で展開される装置のセットのメンバである装置は、装置のセットの任意の他の装置からスケジューリング情報を受信せずに、スケジュールを定義することができる。
【００７７】
[00100]スケジュールパラメータは様々な形態をとることができる。たとえば、限定せずに、スケジューリングパラメータは、時間期間持続期間と、時間期間の数と、シグナリング期間の数とを含み得る。
【００７８】
[00101]ブロック７０４によって表されるように、装置が、シグナリング期間のうちの特定の１つの後に続く、情報転送期間のうちの特定の１つの中で情報を転送するためにアクティブ状態で動作するという決定が行われる。たとえば、ＳＴＡ（装置）宛てのパケットは、ＳＴＡにサービスするＡＰにおいて受信され得る。したがって、ＡＰは、そのパケットがＳＴＡに送られる必要があると決定することができる。
【００７９】
[00102]ブロック７０６によって表されるように、ブロック７０４の決定の結果として、特定のシグナリング期間中に制御信号が装置に送信される。たとえば、上で論じたＡＰは、ＳＴＡ用に指定されたシグナリング期間中にＮＤＰページングフレームをＳＴＡに送信することができる。ブロック７０６の動作は、したがって、上で論じたブロック５０４の動作を補足し得る。この場合も、いくつかの態様では、制御信号は、その装置に関する情報転送が、その特定の情報転送期間中に特定のシグナリング期間の後に続くべきかどうかを示すことができる。
【００８０】
[00103]図８は、本開示のいくつかの態様による、制御シグナリングを生成および送信するための追加の動作を含む方法８００を示す。いくつかの態様では、方法８００は、第２の装置が情報転送を行う必要があると決定して、その決定に基づいて、制御情報を第２の装置に送信する第１の装置によって実行され得る。いくつかの態様では、方法８００は、図２の中継器２０２、ＡＰ２０４、またはＳＴＡ２０６のうちの１つまたは複数によって実行され得る。他の態様では、方法８００は、処理システム（たとえば、図１９の処理システム１９０４）によって実行され得る。当然、本開示の範囲内の様々な態様では、方法８００は、スケジューリング関連動作をサポートできる任意の適切な装置によって実装され得る。
【００８１】
[00104]オプションのブロック８０２によって表されるように、スケジュールに関するシグナリング期間および情報転送期間が様々な要因に基づいて定義され得る。たとえば、そのようなスケジューリングパラメータは、そのスケジュールが定義された装置のうちの１つまたは複数の電力消費要件に基づき得る。別の例として、スケジューリングパラメータは、そのスケジュールが定義された装置のうちの１つまたは複数におけるトラフィックに関連付けられたレイテンシ要件に基づき得る。さらに別の例では、スケジューリングパラメータは、そのスケジューリング装置がメンバである装置のマルチホップ階層のレベルの数に基づき得る。
【００８２】
[00105]オプションのブロック８０４によって表されるように、上で論じたように、何らかの時点で、装置は情報転送期間中にパケットを受信することができる。
【００８３】
[00106]オプションのブロック８０６によって表されるように、そのパケットの宛先を識別するためにパケットは処理される。たとえば、そのパケットの宛先アドレスを決定するために、パケットの媒体アクセス制御（ＭＡＣ）ヘッダが読み取られ得る。
【００８４】
[00107]オプションのブロック８０８によって表されるように、それを介してそのパケットがその宛先に送られることが可能な経路の一部であるとして特定の装置が識別される。たとえば、そのパケットを受信するＡＰは、複数のノードの各々に対する（たとえば、階層のノードの点で）経路を列挙する経路マップを維持することができる。
【００８５】
[00108]オプションのブロック８１０によって表されるように、これにより、ブロック８０８において識別された装置はパケットの転送を容易にするためにアクティブ状態で動作するという決定が行われ得る。
【００８６】
[00109]オプションのブロック８１２によって表されるように、したがって、指定された情報転送期間中にパケットは装置に転送され得る。たとえば、パケットを受信したＡＰは、装置にパケットを受信するために指定された情報転送期間中にアウェイクさせるためのＮＤＰページングフレームを装置に送信することができる。
【００８７】
[00110]制御シグナリングおよび情報転送をスケジュールするためのプロトコルの２つの例を次により詳細に説明する。これらのプロトコルは、たとえば、中継デバイスを含むワイヤレス通信システム（たとえば、図１のワイヤレス通信システム１００）内で用いられ得る。例示のために、続く例は、ＮＤＰページングフレームおよびデータの転送を説明し得る。しかしながら、本明細書の教示に基づく様々な実装形態で、様々なタイプの制御シグナリングおよび情報（たとえば、ペイロード、ユーザデータ、アプリケーションデータ、制御情報、および他のシグナリング）が転送され得ることを諒解されたい。
【００８８】
[00111]図９に示すような、中継デバイスを用いるワイヤレス通信システム内の階層の簡素化された例のコンテキストにおいて、２つのプロトコルについて論じる。この例では、階層内の第１のノードにおけるデバイスＤ１はルートデバイスに対応する。階層内の第２のノードおよび第３のノードにおけるデバイスＤ２ならびにＤ３は中間レベルデバイスに対応する。階層内の第４のノードから第７のノードにおけるデバイスＤ４、Ｄ５、Ｄ６、およびＤ７は下位レベルデバイスに対応する。デバイスＤ２およびＤ３は中継デバイスである。デバイスＤ１は中継デバイスまたはＡＰであり得る。デバイスＤ４、Ｄ５、Ｄ６、およびＤ７は、中継デバイスまたはＳＴＡであり得る。以下の２つのプロトコルの論述においてこの階層が言及される。
【００８９】
[00112]第１のプロトコル（Ｐｒｏｔｏｃｏｌ  １）で、シグナリングスロットは時間間隔Ｔの全体にわたって分散される。いくつかの実装形態では、時間間隔Ｔはビーコン間隔である。たとえば、時間間隔Ｔは、ターゲットビーコン送信時間（ＴＢＴＴ）であり得る。各シグナリングスロットは、その後にデータまたはスリープ持続期間が続く。
【００９０】
[00113]そのようなスケジューリングスキームの一例を図１０に示す。ここで、シグナリングブロック（スロット）は、小さなブロック（たとえば、シグナリングブロック１００２）によって表されるのに対して、データブロック（持続期間）はより大きなブロック（たとえば、データまたはスリープブロック１００４）によって表される。
【００９１】
[00114]シグナリングブロックがページ（または、他の適切なメッセージ）を含む場合、データは所与のシグナリングブロックの後にだけ存在することになる。デバイスがシグナリングを介してページングされる場合、デバイスはデータを転送するためにアウェイクすることになる。デバイスがページングされない場合、デバイスは、その対応するシグナリング期間（ブロック）の直後にスリープし、指定された転送期間（たとえば、ブロック１００４）中にアウェイクしなくてよい。
【００９２】
[00115]制御シグナリング（たとえば、ＮＤＰページングフレーム）は、デバイスが、続く持続期間中にデータを転送するためにアウェイクするべきかどうかを示すことができる。デバイスがアウェイクするべきである場合、デバイスは、データ転送を起動するために、この持続期間中にシグナリング（たとえば、ＰＳ  Ｐｏｌｌ）を用いることができる。そうでない場合、デバイスは、その次のシグナリングスロット（たとえば、次のブロック１００２）までスリープすることができる。
【００９３】
[00116]したがって、所与のデバイスのためのデータが存在しない場合、デバイスは、時間の大部分、スリープすることができ、指定されたシグナリングブロック中に制御シグナリングを確認するためにだけ周期的にウェイクアップすることができる。したがって、そのような実装形態では、かなりの節電が達成され得る。
【００９４】
[00117]このシグナリングスキームは、シグナリングのソース（たとえば、ルートＡＰ）からシグナリングの宛先（たとえば、ＳＴＡ）への階層ツリーの各分岐内で用いられる。したがって、各デバイス（たとえば、中継デバイスもしくはＳＴＡ）に関して、そのデバイスがアウェイク状態に留まるべきか、またはスリープに進むべきかを示すシグナリング（たとえば、メッセージを備えるパケット）はデバイスからデバイスへとそのツリーを下方に伝搬する。たとえば、デバイスＤ２がデバイスＤ１から制御メッセージを受信するとき、デバイスＤ２は、そのメッセージがそれ自体向けであるか、またはその子のうちの１つ（たとえば、デバイスＤ４もしくはデバイスＤ５）向けであるかを決定するために、そのメッセージ（たとえば、受信されたパケット内のＭＡＣヘッダ）を読み取る。前者の場合、デバイスＤ２は、続くデータブロック中にアウェイク状態に留まり、そのデータブロック中に関連付けられたデータ転送を開始するために、適切なシグナリング（たとえば、ＰＳ  Ｐｏｌｌ）で応答する。後者の場合、デバイスＤ２は、メッセージがその意図された宛先に達するように、そのメッセージを送るためのツリーの適切な分岐を識別する。デバイスは、次いで、適切な子デバイスをウェイクアップするために、メッセージ（たとえば、ページ）をその子デバイス（たとえば、デバイスＤ４またはデバイスＤ５）に送る。
【００９５】
[00118]子デバイスは、次いで、それが最終的な宛先であるかどうか、またはその子デバイスのうちの１つをウェイクアップする必要があるかどうかを決定するために、類似の手順を実行することになる。このプロセスは、したがって、最終的な宛先に達するまで、階層の各レベルで下方に繰り返す。メッセージがその宛先（たとえば、ＳＴＡ）に達するとき、そのデバイスは、次いで、関連するデータ転送を開始するために、適切なシグナリング（たとえば、ＰＳ  Ｐｏｌｌ）で応答することができる。
【００９６】
[00119]シグナリングブロック間のインタースペーシング（interspacing）（シグナリング間離間）１００６を選択するために、様々な要因が考慮に入れられてよい。いくつかの態様では、インタースペーシングは、デバイスの（たとえば、親デバイスおよび／または子デバイスの）電力消費要件に基づき得る。いくつかの態様では、インタースペーシングは、経路指定されているトラフィックのレイテンシ要件に基づき得る。いくつかの態様では、インタースペーシングは、ＳＴＡ機能に基づき得る（たとえば、ＳＴＡがＴＣＰをサポートしない場合、ＳＴＡはあまり頻繁にウェイクアップする必要がない）。また、インタースペーシングは、通信媒体がどの程度効果的に使用されているかに影響を及ぼし得る。たとえば、短いインタースペーシングはより高い効率をもたらし得る。
【００９７】
[00120]いくつかの実装形態では、インタースペーシングは、アクセスポイントによって定義されて、ネットワークに広告される。たとえば、インタースペーシングは、ビーコンシグナリングを介して、または関連付け要求および応答動作中に広告され得る。
【００９８】
[00121]様々なデバイスを介して送信される制御シグナリングは、様々な方法でスケジュールされ得る。制御シグナリングは、好ましくは、干渉を避けるためにスケジュールされる。図１０〜図１２は、第１のプロトコルに関して用いられ得る制御シグナリングスケジューリングの３つの異なるバージョンを示す。
【００９９】
[00122]図１０は、ランダムにスケジュールされたシグナリングを用いる実装形態を示す。図１０の複雑性を削減するために、２つのデータまたはスリープブロック１００４だけが示され、２つのシグナリングブロック１００２だけが指定される。
【０１００】
[00123]親デバイスは、そのそれぞれの子デバイスに関する制御シグナリングスケジュールを単独で選択することができる。この場合、スケジュールは、（たとえば、親デバイスおよび／または子デバイスからの）局所情報に基づいて選択される。したがって、このシナリオでは、スケジュールは、階層内の任意の他のデバイスから受信された情報に基づかない。結果として、スケジューリング情報を送る必要、または階層内の任意の他のデバイスからスケジューリング情報を受信する必要はない。したがって、このようにスケジュールされたシステムでは、階層の再構成はシグナリングに悪影響を及ぼさない。しかしながら、図１０のランダムスケジューリングは、結果として、何らかの衝突をもたらす可能性がある（たとえば、その確率はそのシステムを介して経路指定されたパケットの数の増大に伴って高まる可能性がある）。
【０１０１】
[00124]図１１は、いわゆる、完全なスケジューリング（perfect scheduling）を用いる実装形態を示す。この場合、制御シグナリングは、１つのデバイスによる送信（たとえば、シグナリングブロック１１０２）が任意の他のデバイスによる送信に干渉しないように、相互排他的な形でスケジュールされる。図１０に類似して、データまたはスリープブロック１１０４は、各シグナリングブロック１１０２の後に続く。図１１の複雑性を削減するために、単一のデータまたはスリープブロック１１０４だけが示され、単一のシグナリングブロック１１０２だけが指定される。
【０１０２】
[00125]しかしながら、この完全なスケジューリングを維持するために、（たとえば、中継デバイス２が、中継デバイス３がいつ送信するかを知るように、および／またはその逆も同様であるように）階層のデバイス間でスケジューリング情報を伝えるためにシグナリングが用いられる。さらに、階層の再構成が存在するたびに、その再構成に関する情報はその階層内のデバイスに配信される。
【０１０３】
[00126]図１２は、デバイスのすべてが時間間隔全体（たとえば、ＴＢＴＴ）中にアウェイク状態に留まる実装形態を示す。この場合、親デバイスは、（たとえば、制御シグナリングの継続的な感知を表す太線１２０２によって示されるように）その時間間隔中はいつでも制御シグナリングを子デバイスに送信することができる。子デバイスが制御シグナリング（たとえば、ＮＤＰページングフレーム）を受信する場合、データ転送（たとえば、ブロック１２０４）を開始するために、本明細書で用いられるメッセージング（たとえば、ＰＳ  Ｐｏｌｌ）が起動され得る。図１２の複雑さを低減するために、単一のアクセスポイント１２０２および単一のアクセス端末１１０４だけが示される。
【０１０４】
[00127]有利には、この実装形態は、本明細書で説明する実装形態のいずれかの中で最も高い性能を実現し得る。具体的には、データが親デバイスによって受信されるときと、子デバイスがこのデータについて通知されるときとの間の遅延時間は、これらの実装形態のうちのいずれかの中でも最も短い可能性がある。
【０１０５】
[00128]しかしながら、親デバイスはいつでも子デバイスと通信することができる（逆も同様である）とすれば、異なるデバイスによる同時送信により、信号に衝突が存在する可能性がある。
【０１０６】
[00129]階層の再構成が存在する場合、その再構成に関する情報はその階層内のデバイスに配信されなくてよい。この場合、すべてのデバイスは、階層の構成にかかわらず、制御シグナリングを継続的にモニタする。
【０１０７】
[00130]一般に、子デバイスはシグナリング期間全体にわたってアクティブに受信しているため、（たとえば、図１０にあるように）制御シグナリングに関して節電を用いる実装形態と比較して、子デバイスの電力消費はより高い可能性がある。この電力消費を低減するために、デバイスは電力効率がより高い制御シグナリング形態を用いることができる。たとえば、子デバイスの受信機は低電力モードで動作することが可能であり、それによって、受信機は、当初、あるタイプの信号に関してだけモニタする（たとえば、受信機はより簡単な信号検出動作モードを用いる）。このモードで、受信機の回路の一部は、オフにされるか、または低電力モードに切り替えられる。次いで、指定されたタイプの信号が検出された場合、（たとえば、そのデバイス向けのすべての制御シグナリングを受信するために）受信機の完全動作がアクティブ化される。受信機の完全機能が可能にされる場合（たとえば、受信機が完全な制御シグナリングメッセージを受信することができる場合）と比較して、指定された信号の受信がより少ない電力を消費するとすれば、電力消費の削減が達成され得る。
【０１０８】
[00131]図１３を参照すると、いくつかの態様では、このフローチャートは、第１のプロトコルに従って、第１の装置および第２の装置によって実行され得る例示的な動作を説明する。いくつかの実装形態では、第１の装置および第２の装置のうちの１つまたは両方は、親装置に関連付けられた中継デバイスを備えることが可能であり、親装置のサービスセット識別子を再ブロードキャストする。
【０１０９】
[00132]ブロック１３０２によって表されるように、第１の装置はビーコン間隔内で複数の制御シグナリングブロックを指定するスケジュールを定義する。各シグナリングブロックの後にそのスケジュール内のデータ送信のための時間期間が続く。
【０１１０】
[00133]いくつかの態様では、第１の装置は、マルチホップ階層内で展開される装置のセットのメンバである。場合によっては、第１の装置は、（たとえば、装置のセットの任意の他の装置からスケジューリング情報を受信せずに）スケジュールを単独で定義することができる。代替的に、他の場合には、第１の装置は、スケジュールを定義するために、装置のセットの装置のうちの少なくとも１つと通信することができる。この通信は、たとえば、装置の少なくとも１つのスケジュールを受信することに関与し得る。
【０１１１】
[00134]いくつかの態様では、制御シグナリングブロックは時間期間によって時間の点で分離される。この時間期間は、第１の装置の電力消費要件、第２の装置の電力消費要件、第１の装置におけるトラフィックに関連付けられたレイテンシ要件、第２の装置におけるトラフィックに関連付けられたレイテンシ要件、または第１の装置がメンバである装置のマルチホップ階層のレベルの数のうちの少なくとも１つに基づいて定義され得る。
【０１１２】
[00135]ブロック１３０４によって表されるように、第１の装置はスケジュールを第２の装置に送信する。
【０１１３】
[00136]ブロック１３０６によって表されるように、第１の装置は、シグナリングブロックのうちの特定の１つの中で制御情報（たとえば、ＮＤＰページングフレーム）を第２の装置に送信する。制御情報は、第２の装置のためのデータ転送が、その時間期間中に特定のシグナリングブロックの後に続くべきかどうかを示す。
【０１１４】
[00137]いくつかの態様では、第１の装置は、パケットを受信して、各パケットに関する宛先を識別するために、それらのパケットを処理する。このようにして、第１の装置は、それを介してそのパケットが宛先に送られることが可能な経路の一部であるとして第２の装置を識別し、それによって、特定のシグナリングブロックの後にそのパケットを第２の装置に転送する。
【０１１５】
[00138]いくつかの態様では、第１の装置は親装置に関連付けられ、第１の装置は親装置によって定義された別のスケジュールを受信する。この場合、第１の装置は、第１の装置によって定義されたスケジュールと、親装置によって定義された他のスケジュールとに従って（たとえば、これらだけに従って）スリープ動作モードからウェイクすることができる。
【０１１６】
[00139]いくつかの態様では、第１の装置は複数の子装置にサービスし、スケジュールは、子装置のすべてが制御シグナリングブロック中にアウェイク動作モードになることを指定する。
【０１１７】
[00140]ブロック１３０８によって表されるように、第２の装置はスケジュールを受信する。
【０１１８】
[00141]ブロック１３１０によって表されるように、第２の装置はシグナリングブロックのうちの特定の１つの中で制御情報を受信する。
【０１１９】
[00142]ブロック１３１２によって表されるように、第２の装置は、制御情報に基づいて（たとえば、受信された制御情報がその装置のためのデータ転送が特定のシグナリングブロックの後に続くべきであることを示しているかどうかに基づいて）、その特定のシグナリングブロックの後の時間期間中に第２の装置をアウェイク動作モードで動作させるか、またはスリープ動作モードで動作させるかを決定する。
【０１２０】
[00143]いくつかの態様では、制御情報が第１の装置のためのデータ転送がその特定のシグナリングブロックの後に続くことを示す場合、第２の装置は、その特定のシグナリングブロックの後に続く時間期間中にアウェイク動作モードで動作させられる。いくつかの態様では、制御情報が第１の装置のためのデータ転送がその特定のシグナリングブロックの後に続かないことを示す場合、第２の装置は、その特定のシグナリングブロックの後に続く時間期間中にスリープ動作モードで動作させられる。
【０１２１】
[00144]いくつかの態様では、第２の装置は、制御情報（たとえば、ＮＤＰページングフレーム）の受信の結果として、データ転送を起動するためのインジケーション（たとえば、ＰＳ  Ｐｏｌｌ）を第１の装置に送信する。第２の装置からのこのインジケーション（たとえば、ＰＳ  Ｐｏｌｌ）の受信の結果として、第１の装置は、その時間期間中にデータ転送を起動する。
【０１２２】
[00145]図１４を参照すると、第２のプロトコル（Ｐｔｏｒｏｃｏｌ  ２）で、ワイヤレス通信システムによって使用される時間間隔は、２つのブロック、すなわち、ＵＬ送信のためのＵＬブロックとＤＬ送信のためのＤＬブロックとに分割される。各ブロックは、次いで、１つはシグナリング用、もう１つはデータのための２つのサブブロックに分割される。
【０１２３】
[00146]いくつかの実装形態では、時間間隔はビーコン間隔である。たとえば、時間間隔は、ターゲットビーコン送信時間（ＴＢＴＴ）であり得る。したがって、図１４の例では、ＵＬブロックおよびＤＬブロックは、ＴＢＴＴ間隔を集合的な備え得る。
【０１２４】
[00147]制御シグナリングを通信するために、各シグナリングサブブロックが使用される。すべてのデバイスは、他のデバイスとシグナリングを通信するためのシグナリングサブブロックの少なくとも一部の中でアウェイクである。図９の階層を参照すると、ＤＬの場合、デバイスＤ１、Ｄ２、およびＤ３は、シグナリングをそれぞれの子デバイスＤ２、Ｄ３、Ｄ４、Ｄ５、Ｄ６、またはＤ７に送信するためのシグナリングサブブロックの少なくとも一部の中でアウェイクである。反対に、デバイスＤ２、Ｄ３、Ｄ４、Ｄ５、Ｄ６、またはＤ７は、それぞれの親デバイスＤ１、Ｄ２、またはＤ３からシグナリングを受信するためのシグナリングサブブロックの少なくとも一部の中でアウェイクである。
【０１２５】
[00148]中継節電を容易にするために、各シグナリングサブブロックは、デバイスが次のデータサブブロック中にアウェイク状態（たとえば、アクティブ、非スリープモード）に留まるべきか、または（たとえば、節電モードで）スリープするべきかを示す制御シグナリングを送るために使用される。
【０１２６】
[00149]データサブブロックは、データ（たとえば、ペイロード、ユーザデータ、アプリケーションデータ、制御情報、または他のシグナリング）を通信するために使用される。節電の場合、制御シグナリングによって所与のデータサブブロックの間にアウェイクになるように命令されたデバイスは、そのデータサブブロック中にデータを受信または送信するためにアウェイク状態に留まるべきである。
【０１２７】
[00150]第２のプロトコルを実装するために用いられ得るシグナリングの一例が続く。親デバイス（たとえば、ＡＰ、または中継デバイス）が子デバイス（たとえば、中継デバイス、またはＳＴＡ）に送るべきデータを有するとき、親デバイスは、子デバイスがアウェイクするようにスケジュールされた、シグナリングサブブロックの一部の中でヌルデータパケット（ＮＤＰ）ページングフレームを送信する。下で論じるように、異なる実装形態では、所与の子デバイスは、シグナリングサブブロックの全体で、またはシグナリングサブブロックの一部の中でだけ、アウェイクであり得る。ＮＤＰページングフレームは、子デバイスが後に続くデータサブブロック中にアウェイク状態に留まるべきかどうかについてのインジケーションを含み得る。たとえば、ＮＤＰページングフレームは、子デバイスに送られるべきデータが存在することを示すことができる。このインジケーションを受信するとすぐ、子デバイスは、指定されたデータサブブロック中にアウェイク状態で動作し、その子デバイスがアウェイクであり、データ転送の準備が整っていることを親デバイスに知らせるために、節電ポール（ＰＳ  Ｐｏｌｌ）メッセージまたは何らかの他の適切なメッセージを親デバイスに送信することができる。ＰＳ  Ｐｏｌｌまたは他の適切なメッセージをその子デバイスから受信するとすぐ、親デバイスはデータサブブロック中にデータ転送を開始する。
【０１２８】
[00151]このシグナリングスキームは、シグナリングのソース（たとえば、ルートＡＰ）からシグナリングの宛先（たとえば、ＳＴＡ）への階層ツリーの各分岐内で用いられる。したがって、デバイスがアウェイク状態に留まるべきか、またはスリープに進むことができるかを各デバイス（たとえば、中継デバイスもしくはＳＴＡ）に命令する（たとえば、最終的な宛先を識別するＭＡＣヘッダを有するパケットを備えた）シグナリングは、デバイスからデバイスへとツリーを下方に伝搬する。シグナリングがその宛先（たとえば、ＳＴＡ）に達するとき、そのデバイスは、次いで、関連するデータ転送を開始するために適切なシグナリング（たとえば、ＰＳ  Ｐｏｌｌ）で応答することができる。
【０１２９】
[00152]第２のプロトコルは様々な方法で実装され得る。
【０１３０】
[00153]ブロックおよびサブブロックの持続期間は、ＵＬ上で送られるデータの量に対するＤＬ上で送られるデータの量など、様々な要因に基づいて定義され得る。したがって、場合によっては、これらの持続期間は、（たとえば、システム変更におけるトラフィックなど）異なる使用事例に関して再構成され得る。また、これらのブロックおよびサブブロックの持続期間は、システムの寿命を通して（たとえば、階層に変更があるたびに）再構成され得る。この場合、再構成に関する情報は（たとえば、適切なシグナリングを介して）階層内のデバイスに配信される。
【０１３１】
[00154]様々なデバイスを介して送信される制御シグナリングは、様々な方法でスケジュールされ得る。好ましくは、制御シグナリングは、デバイス間の干渉を避けるようにスケジュールされる。図１５〜図１７は、第２のプロトコルに関して用いられ得る制御シグナリングスケジューリングの３つの異なるバージョンを示す。
【０１３２】
[00155]図１５は、いわゆる、完全なスケジューリングを用いる実装形態を示す。この場合、制御シグナリングは、１つのデバイスによる送信が他のデバイスによる送信に干渉しないように相互排他的な様式でスケジュールされる。例示のために、図１５はＤＬのためのシグナリングを示す。類似の技法がＵＬに適用可能であり得ることを諒解されたい。
【０１３３】
[00156]この場合、（たとえば、図９のデバイスＤ１に対応する）デバイスＤ１は、左端のタイムスロット中に制御シグナリングを（たとえば、図９のデバイスＤ２およびＤ３に対応する）デバイスＤ２ならびにＤ３に送信する。これは、図１５で、たとえば、その中でデバイスＤ２がデバイスＤ１から制御シグナリングを受信するタイムスロット１５０２によって示される。デバイスＤ２は、次に、中間タイムスロット中に制御シグナリングを（たとえば、図９のデバイスＤ４およびＤ５に対応する）デバイスＤ４ならびにＤ５に送信する。デバイスＤ３は、最後のタイムスロット中に制御シグナリングを（たとえば、図９のデバイスＤ６およびＤ７に対応する）デバイスＤ６ならびにＤ７に送信する。
【０１３４】
[00157]図１５から、デバイスＤ１、Ｄ２、およびＤ３は、相互排他的な時点で送信することが理解され得る。このようにして、干渉は避けられる。さらに、所与のデバイスは、そのデバイスが制御シグナリングを潜在的に受信することがスケジュールされていないとき、シグナリングサブブロックの一部の中でスリープすることができる。したがって、そのような実装形態では、さらなる節電が達成され得る。
【０１３５】
[00158]階層の再構成が存在する（たとえば、１つまたは複数のデバイスが階層に加えられるか、または階層から除去される）場合、その再構成に関する情報は階層内のデバイスに配信されることになる。たとえば、所与の親デバイスがその親を変更するたびに、その変更は階層ツリーの対応する分岐を下方に伝搬されることになる。
【０１３６】
[00159]所与の実装形態で用いられるシグナリングスロットの数は、いくつかの態様では、ホップの数ではなく、階層内のノード（デバイス）の数に依存する。たとえば、いくつかの態様では、シグナリングスロットの数は、すべての葉ノードを除去した後の残りの数に等しい。
【０１３７】
[00160]図１６は、デバイスのすべてがシグナリングサブブロック全体の中でアウェイク状態に留まる実装形態を示す。図１５同様、図１６はＤＬのためのシグナリングを示す。類似の技法がＵＬに適用可能であり得ることを諒解されたい。
【０１３８】
[00161]この場合、親デバイスは、（たとえば、タイムスロット１６０２によって示されるように）そのシグナリングサブ期間中いつでも制御シグナリングを子デバイスに送信することができる。したがって、親デバイスによる同時送信による信号衝突が存在し得る。さらに、子デバイスはシグナリングサブブロック全体にわたってアクティブに受信しているため、（図１５にあるように）シグナリングサブブロック中に節電を用いる実装形態と比較して、子デバイスの電力消費はより高い可能性がある。
【０１３９】
[00162]しかしながら、階層の再構成が存在する場合、その再構成に関する情報はその階層内のデバイスに配信されなくてよい。この場合、すべてのデバイスは、階層の構成にかかわらず、シグナリングサブブロック全体の中で受信するようにスケジュールされる。
【０１４０】
[00163]図１７は、ランダムスケジューリングを用いる実装形態を示す。例示のために、図１７はＤＬのためのシグナリングを示す。類似の技法がＵＬに適用可能であり得ることを諒解されたい。
【０１４１】
[00164]この場合、各親デバイスは、制御シグナリングをその子デバイスに送信するためのスケジュールを単独で決定する。このスケジュールは、（たとえば、親デバイスおよび／または子デバイスからの）局所情報に基づいて選択され得る。したがって、スケジュールは、階層内の任意の他のデバイスから受信された情報に基づかなくてよい。たとえば、デバイスＤ１は、（たとえば、タイムスロット１７０２を含めて）図１７でＤ２において示される３つのタイムスロット中に制御シグナリングをデバイスＤ２に送信すると決定することができる。さらに、デバイスＤ１は、図１７で示される３つの他のタイムスロット中に制御シグナリングをデバイスＤ３に送信すると決定することができる。最後に、デバイスＤ２およびＤ３は、制御シグナリングをデバイスＤ４、Ｄ５、Ｄ６、およびＤ７に送信するためのスケジュールを単独で決定することができる。
【０１４２】
[00165]この場合、デバイスＤ１、Ｄ２、およびＤ３の送信時間は重複する可能性があることが理解され得る。したがって、信号に衝突が存在し得る。
【０１４３】
[00166]しかしながら、階層の再構成が存在する場合、その再構成に関する情報はその階層内のデバイスに配信されなくてよい。この場合、その元のスケジュールは階層内の任意の他のスケジュールとは関係なく決定されたため、各親デバイスおよび子デバイスはその元のスケジュールを維持することができる。
【０１４４】
[00167]図１８のフローチャートは、第２のプロトコルに従って、第１の装置および第２の装置によって実行され得る例示的な動作を説明する。いくつかの実装形態では、第１の装置および第２の装置のうちの１つまたは両方は、親装置に関連付けられた中継デバイスを備えることが可能であり、親装置のサービスセット識別子を再ブロードキャストする。
【０１４５】
[00168]ブロック１８０２によって表されるように、第１の装置は、ビーコン間隔内で制御シグナリングブロックおよびデータブロックを指定するスケジュールを定義する。いくつかの態様では、データブロックは、制御シグナリングブロックの直後に続く。いくつかの態様では、このスケジュールは、ビーコン間隔内でアップリンクブロックおよびダウンリンクブロックを指定する。さらに、制御シグナリングブロックおよびデータブロックは、アップリンクブロック内で指定され得、このスケジュールは、ダウンリンクブロック内で他の制御シグナリングブロックおよび他のデータブロックをさらに指定することができる。いくつかの態様では、このスケジュールは、第２の装置が制御シグナリングブロックの残りの部分の中でスリープ動作モードになるように、その中で第２の装置がアウェイク動作モードになるべき制御シグナリングブロックの一部をさらに指定する。
【０１４６】
[00169]いくつかの態様では、第１の装置は、マルチホップ階層内で展開される装置のセットのメンバである。場合によっては、第１の装置は、（たとえば、装置のセットの任意の他の装置からスケジューリング情報を受信せずに）第２の装置のための制御シグナリングブロックの一部を単独で定義することができる。代替的に、他の場合には、第１の装置は、第２の装置のための制御シグナリングブロックの部分を指定するために、装置のセットの装置のうちの少なくとも１つと通信することができる。
【０１４７】
[00170]ブロック１８０４によって表されるように、第１の装置はスケジュールを第２の装置に送信する。
【０１４８】
[00171]ブロック１８０６によって表されるように、第１の装置は、制御シグナリングブロック中に制御情報を第２の装置に送信する。制御情報は、データブロック内に第２の装置のためのデータ転送が存在するかどうかを示す。
【０１４９】
[00172]ブロック１８０８によって表されるように、第２の装置はスケジュールを受信する。
【０１５０】
[00173]ブロック１８１０によって表されるように、第２の装置は、制御シグナリングブロック中に制御情報を受信する。
【０１５１】
[00174]ブロック１８１２によって表されるように、第２の装置は、受信された制御情報がデータブロック中に装置のためのデータ転送が存在することを示すかどうかに基づいて、第２の装置をデータブロック中にアウェイク動作モードで動作させられるか、またはスリープ動作モードで動作させられるかを決定する。
【０１５２】
[00175]いくつかの態様では、制御情報がそのデータブロック中に第１の装置のためのデータ転送が存在することを示す場合、第２の装置は、そのデータブロック中にアウェイク動作モードで動作させられる。いくつかの態様では、制御情報がそのデータブロック中に第１の装置のためのデータ転送が存在しないことを示す場合、第２の装置は、そのデータブロック中にスリープク動作モードで動作させられる。
【０１５３】
[00176]いくつかの態様では、第２の装置は、制御情報の受信の結果として、データ転送を起動するためのインジケーション（たとえば、ＰＳ  Ｐｏｌｌ）を第１の装置に送信する。第２の装置からのこのインジケーション（たとえば、ＰＳ  Ｐｏｌｌ）の受信の結果として、第１の装置は、そのデータブロック中にデータ転送を起動する。
【０１５４】
[00177]前述の通り、示したプロトコルの様々な実装形態は異なる利点を有し得る。
【０１５５】
[00178]第１のプロトコルを参照する。何の分割も行う必要はない。ブロック持続期間を事前に割り当てて、動的に変更する必要はない。ページングされた後、デバイス（たとえば、ＳＴＡ）は、データを直ちに（待たずに）受信して、そのデータを受信した直後にスリープする。ＤＬのためのページが不成功だった場合、デバイスはデータを送らない。この手法は再構成フレンドリーである。シグナリング間離間（インタースペーシング）は、階層のレベルの数、レイテンシ要件、または電力消費に応じ得る。
【０１５６】
[00179]第２のプロトコルを参照する。階層が固定されている（たとえば、ワイヤレスネットワークが固定センサデバイスを備える）場合、この手法は、結果として、シグナリング期間の間、最低電力消費をもたらし得る。また、シグナリングブロックおよびデータブロックの持続期間を密に制御することによって、（特に、図１５の実装形態では）干渉は効果的に管理され得る。
【０１５７】
[00180]２つのプロトコルの例示的な比較は以下の通りである。この例では、ネットワークは６４個のノード、２００ｍｓのレイテンシ要件、および５ｍｓの典型的なパケット持続期間を有すると仮定する。
【０１５８】
[00181]第１のプロトコルの場合、シグナリングスロットの数＝３６→３６＊．５＝１８ｍｓがシグナリングスロットによって占有される。この場合、データはシグナリングをカバーし得る。これらは異なるレイヤ内にあるが、同じ数の「シグナリングパケット」が使用されることになり、したがって、媒体占有率を増大しないことになる。完全なスケジューリングの場合、各ＳＴＡはＴＢＴＴ内に３６個のスロットを有し、ＤＬ用に１８個が使用され得、したがって、８は、パケットがＴＢＴＴ内でＡＰから下方に進むことができるレベルの総数である。
【０１５９】
[00182]完全なスケジューリングを有するが、再構成フレンドリーな第２のプロトコルの場合、ＤＬ＋ＵＬシグナリング持続期間＝３２＊．５＊２＝３２ｍｓであり、時間の１／６がシグナリングのために費やされる。上で論じたように、データはこの部分を使用しない場合がある。同じサイズ５ｍｓの１個のＵＬパケットおよび１個のＤＬパケットが存在し、したがって、ＤＬ＝ＵＬであると仮定する。この場合、１５０／２／５＝１３は、パケットがＴＢＴＴ内でＡＰから下方に進むことができるレベルの総数である。
【０１６０】
[00183]上記から見て、完全なスケジューリング、再構成フレンドリーの下では、ウェイクアップはなく、データもない。プロトコル１は、より少ない電力／ＳＴＡを消費し得る（たとえば、１６４μＡ対７２２μＡ）。さらに、プロトコル１は最高数のレベルを達し得る（たとえば、１８対１３）。
【０１６１】
[00184]完全なスケジューリング、再構成フレンドリーの下では、ウェイクアップし（２ｍｓ＠１ｍＡ）、データはない。プロトコル１は、より少ない電力／ＳＴＡを消費し得（たとえば、３７８μＡ対７２２μＡ）、プロトコル１と２は両方とも１３個のレベルを達成する。
【０１６２】
[00185]上で論じたように、データの場合、プロトコル２は（特に、葉ノードで）より多くの電力を消費するのに対して、プロトコル１は対称的である。
【０１６３】
[00186]プロトコル２において完全なスケジューリングがない場合、シグナリグ持続期間は増大し、結果として、電力消費はより増大して、レベルの数が低減する。
【０１６４】
[00187]プロトコル１において完全なスケジューリングがない場合、レベルの数の低減に伴って電力消費は固定され得る。反対に、電力消費の増大に伴ってレベルの数は固定され得る。
【０１６５】
[00188]図１９は、ワイヤレス通信システム１００内で用いられ得る装置１９０２（たとえば、ワイヤレスデバイス）において利用され得る様々な構成要素を示す。装置１９０２は、本明細書で説明する様々な方法を実装するように構成され得るデバイスの一例である。たとえば、装置１９０２は、ＡＰ１０４、中継器（たとえば、ＳＴＡ１０６ｄ）、または図１のＳＴＡ１０６のうちの１つを備え得る。
【０１６６】
[00189]装置１９０２は、装置１９０２の動作を制御する処理システム１９０４を含み得る。処理システム１９０４は、中央処理装置（ＣＰＵ）と呼ばれる場合もある。読取り専用メモリ（ＲＯＭ）とランダムアクセスメモリ（ＲＡＭ）の両方を含み得る（たとえば、メモリデバイスを含む）メモリ構成要素１９０６は、命令およびデータを処理システム１９０４に提供する。メモリ構成要素１９０６の一部は不揮発性ランダムアクセスメモリ（ＮＶＲＡＭ）も含み得る。処理システム１９０４は通常、メモリ構成要素１９０６内に記憶されたプログラム命令に基づいて、論理演算と算術演算とを実行する。メモリ構成要素１９０６内の命令は、本明細書で説明する方法を実装するように実行可能であり得る。
【０１６７】
[00190]装置１９０２が送信ノードとして実装または使用されるとき、処理システム１９０４は、複数の媒体アクセス制御（ＭＡＣ）ヘッダタイプのうちの１つを選択し、そのＭＡＣヘッダタイプを有するパケットを生成するように構成され得る。たとえば、処理システム１９０４は、ＭＡＣヘッダとペイロードとを備えるパケットを生成し、何のタイプのＭＡＣヘッダを使用するかを決定するように構成され得る。
【０１６８】
[00191]装置１９０２が受信ノードとして実装または使用されるとき、処理システム１９０４は、複数の異なるＭＡＣヘッダタイプのパケットを処理するように構成され得る。たとえば、処理システム１９０４は、パケット内で使用されるＭＡＣヘッダのタイプを決定し、パケットおよび／またはＭＡＣヘッダのフィールドを処理するように構成され得る。
【０１６９】
[00192]処理システム１９０４は、１つもしくは複数のプロセッサとともに実装されるより大きな処理システムを備えるか、またはその構成要素であり得る。１つもしくは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別のハードウェア構成要素、専用のハードウェア有限状態機械、または、情報の計算もしくは他の操作を実行することができる任意の他の適切なエンティティの任意の組合せで実装される場合がある。
【０１７０】
[00193]処理システムは、ソフトウェアを記憶するための機械可読媒体も含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、またはコードの任意の他の適切な形式の）コードを含む場合がある。命令は、１つまたは複数のプロセッサによって実行されたとき、本明細書で説明する様々な機能を処理システムに実行させる。
【０１７１】
[00194]装置１９０２はまた、装置１９０２と遠隔位置との間のデータの送信および受信を可能にするために送信機１９１０ならびに受信機１９１２を含み得る筐体１９０８を含み得る。送信機１９１０および受信機１９１２は、単一の通信構成要素（たとえば、送受信機１９１４）に組み合わされる場合がある。アンテナ１９１６は、筐体１９０８に取り付けられ、送受信機１９１４に電気的に結合される場合がある。装置１９０２は、複数の送信機、複数の受信機、複数の送受信機、および／または複数のアンテナも含み得る（図示せず）。送信機１９１０および受信機１９１２は、いくつかの実装形態では、（たとえば、単一の通信デバイスの送信機回路および受信機回路として組み込まれる）集積デバイスを備え得、いくつかの実装形態では、別個の送信機デバイスおよび別個の受信機デバイスを備え得、または他の実装形態では他の方法で組み込まれ得る。
【０１７２】
[00195]送信機１９１０は、異なるＭＡＣヘッダタイプを有するパケットをワイヤレス送信するように構成され得る。たとえば、送信機１９１０は、上記で論じた処理システム１９０４によって生成された異なるタイプのヘッダとともにパケットを送信するように構成され得る。
【０１７３】
[00196]受信機１９１２は、異なるＭＡＣヘッダタイプを有するパケットをワイヤレス受信するように構成され得る。いくつかの態様では、受信機１９１２は、使用されたＭＡＣヘッダのタイプを検出し、それに応じてパケットを処理するように構成される。
【０１７４】
[00197]受信機１９１２は、送受信機１９１４によって受信された信号のレベルを検出し、量子化するために使用され得る。受信機１９１２は、総エネルギー、シンボルごとのサブキャリア当たりのエネルギー、電力スペクトル密度、および他の信号などの信号を検出することができる。装置１９０２は、信号を処理する際に使用するためのデジタル信号プロセッサ（ＤＳＰ）１９２０も含み得る。ＤＳＰ１９２０は、送信のためのデータユニットを生成するように構成され得る。いくつかの態様では、データユニットは、物理レイヤデータユニット（ＰＰＤＵ）を備え得る。いくつかの態様では、ＰＰＤＵはパケットと呼ばれる。
【０１７５】
[00198]装置１９０２は、いくつかの態様では、ユーザインターフェース１９２２をさらに備え得る。ユーザインターフェース１９２２は、キーパッド、マイクロフォン、スピーカ、および／またはディスプレイを備える場合がある。ユーザインターフェース１９２２は、装置１９０２のユーザに情報を伝達し、および／もしくはユーザからの入力を受信する、任意の要素または構成要素を含み得る。
【０１７６】
[00199]装置１９０２の様々な構成要素は、バスシステム１９２６によって互いに結合され得る。バスシステム１９２６は、たとえば、データバスを含み得、ならびに、データバスに加えて、電力バス、制御信号バス、およびステータス信号バスを含み得る。装置１９０２の構成要素は、何らかの他の機構を使用して、互いに結合されるか、または互いに対する入力を受け付けるか、もしくは与え得ることを当業者は諒解されよう。
【０１７７】
[00200]いくつかの別々の構成要素が図１９に示されているが、それらの構成要素のうちの１つもしくは複数は、組み合わされるか、または共通に実装されることがある。たとえば、処理システム１９０４は、処理システム１９０４に関して上で説明した機能を実装するためだけでなく、信号検出器１９１８および／またはＤＳＰ１９２０に関して上で説明した機能を実装するためにも使用され得る。さらに、図１９に示した構成要素の各々は、複数の別個の要素を使用して実装される場合がある。さらに、処理システム１９０４は、以下で説明する構成要素、モジュール、回路などのいずれかを実装するために使用され得、または各々が複数の別個の要素を使用して実装され得る。
【０１７８】
[00201]参照しやすいように、装置１９０２が送信ノードとして構成されるとき、以下でそれを装置１９０２ｔと呼ぶ。同様に、装置１９０２が受信ノードとして構成されるとき、以下でそれを装置１９０２ｒと呼ぶ。ワイヤレス通信システム１００中のデバイスは、送信ノードの機能のみ、受信ノードの機能のみ、または送信ノードと受信ノードの両方の機能を実装し得る。
【０１７９】
[00202]上で論じたように、装置１９０２は、ＡＰ、中継器、ＳＴＡ、または何らかの他のタイプの装置を備え得る。さらに、装置１９０２は、複数のＭＡＣヘッダタイプを有する通信を送信および／または受信するために使用され得る。
【０１８０】
[00203]図１９の構成要素は、様々な方法で実施され得る。いくつかの実装形態では、図１９の構成要素は、たとえば、１つもしくは複数のプロセッサ、および／または（１つもしくは複数のプロセッサを含み得る）１つもしくは複数のＡＳＩＣなど、１つもしくは複数の回路において実装され得る。ここで、各回路は、この機能を与えるために回路によって使用される情報もしくは実行可能コードを記憶するための少なくとも１つのメモリ構成要素を使用し、および／または組み込み得る。たとえば、図１９のブロックによって表される機能の一部もしくは全部は、装置のプロセッサとメモリ構成要素とによって（たとえば、適切なコードの実行によっておよび／またはプロセッサ構成要素の適切な構成によって）実装され得る。これらの構成要素は、異なる実装形態では、異なるタイプの装置において（たとえば、ＡＳＩＣにおいて、システムオンチップ（ＳｏＣ）において、などで）実装され得ることを諒解されたい。
【０１８１】
[00204]上で論じたように、装置１９０２は、ＡＰ、中継器、ＳＴＡ、または何らかの他のタイプの装置を備えることが可能であり、通信を送信および／または受信するために使用され得る。図２０に、ワイヤレス通信を送信するために装置１９０２ｔにおいて利用され得る様々な構成要素を示す。図２０に示す構成要素は、たとえば、ＯＦＤＭ通信を送信するために使用され得る。いくつかの態様では、図２０に示す構成要素は、１ＭＨｚ以下の帯域幅で送られるパケットを生成し、送信するために使用される。
【０１８２】
[00205]図２０の装置１９０２ｔは、送信のためにビットを変調するように構成された変調器２００２を備え得る。たとえば、変調器２００２は、たとえばコンステレーションに従ってビットを複数のシンボルにマッピングすることによって、処理システム１９０４（図１９）またはユーザインターフェース１９２２（図１９）から受信されたビットから複数のシンボルを決定することができる。それらのビットは、ユーザデータまたは制御情報に対応し得る。いくつかの態様では、それらのビットはコードワードにおいて受信される。一態様では、変調器２００２は、ＱＡＭ（直交振幅変調）変調器、たとえば、１６ＱＡＭ変調器または６４ＱＡＭ変調器を備える。他の態様では、変調器２００２は、２位相偏移変調（ＢＰＳＫ）変調器または４位相偏移変調（ＱＰＳＫ）変調器を備える。
【０１８３】
[00206]装置１９０２ｔは、変調器２００２からのシンボル、またはさもなければ変調されたビットを時間領域に変換するように構成された変換モジュール２００４をさらに備え得る。図２０では、変換モジュール２００４は、逆高速フーリエ変換（ＩＦＦＴ）モジュールによって実装されるものとして示されている。いくつかの実装形態では、異なるサイズのデータのユニットを変換する複数の変換モジュール（図示せず）が存在する場合がある。いくつかの実装形態では、変換モジュール２００４は、それ自体が、異なるサイズのデータのユニットを変換するように構成され得る。たとえば、変換モジュール２００４は、複数のモードで構成され得、各モードでシンボルを変換するために異なる数の点を使用し得る。たとえば、ＩＦＦＴは、３２個のトーン（すなわち、サブキャリア）で送信されているシンボルを時間領域に変換するために３２点が使用されるモードと、６４個のトーンで送信されているシンボルを時間領域に変換するために６４点が使用されるモードとを有し得る。変換モジュール２００４によって使用される点の数は、変換モジュール２００４のサイズと呼ばれることがある。
【０１８４】
[00207]図２０は、変調器２００２および変換モジュール２００４がＤＳＰ２０２０内で実装されるものとして示されている。しかしながら、いくつかの態様では、変調器２００２と変換モジュール２００４の一方または両方が処理システム１９０４内でまたは装置１９０２ｔの別の要素（たとえば、図１９に関する上記の説明を参照）内で実装される。
【０１８５】
[00208]上記で論じたように、ＤＳＰ２０２０は、送信のためのデータユニットを生成するように構成され得る。いくつかの態様では、変調器２００２および変換モジュール２００４は、制御情報を含む複数のフィールドと複数のデータシンボルとを備えるデータユニットを生成するように構成され得る。
【０１８６】
[00209]図２０の説明に戻ると、装置１９０２ｔは、変換モジュールの出力をアナログ信号に変換するように構成されたデジタルアナログ変換器２００６をさらに備え得る。たとえば、変換モジュール２００６の時間領域出力は、デジタルアナログ変換器２００６によってベースバンドＯＦＤＭ信号に変換され得る。デジタルアナログ変換器２００６は、処理システム１９０４内でまたは図１９の装置１９０２の別の要素内で実装され得る。いくつかの態様では、デジタルアナログ変換器２００６は、送受信機１９１４（図１９）内でまたはデータ送信プロセッサ内で実装される。
【０１８７】
[00210]アナログ信号は、送信機２０１０によってワイヤレス送信され得る。アナログ信号は、送信機２０１０によって送信される前に、たとえばフィルタ処理されることによって、または中間周波数もしくは搬送周波数にアップコンバートされることによって、さらに処理され得る。図２０に示す態様では、送信機２０１０は送信増幅器２００８を含む。送信される前に、アナログ信号は送信増幅器２００８によって増幅され得る。いくつかの態様では、増幅器２００８は低雑音増幅器（ＬＮＡ）を備える。
【０１８８】
[00211]送信機２０１０は、アナログ信号に基づいてワイヤレス信号内で１つもしくは複数のパケットまたはデータユニットを送信するように構成される。それらのデータユニットは、処理システム１９０４（図１９）および／またはＤＳＰ２０２０を使用して、たとえば、上で論じたように変調器２００２および変換モジュール２００４を使用して生成され得る。上記で説明したように生成され、送信され得るデータユニットについて、以下でさらに詳細に説明する。
【０１８９】
[00212]図２１は、ワイヤレス通信を受信するために図１９の装置１９０２において利用され得る様々な構成要素を示す。図２１に示す構成要素は、たとえば、ＯＦＤＭ通信を受信するために使用され得る。たとえば、図２１に示す構成要素は、図２０に関して上で説明した構成要素によって送信されたデータユニットを受信するために使用され得る。
【０１９０】
[00213]装置１９０２ｒの受信機２１１２は、ワイヤレス信号内の１つもしくは複数のパケットまたはデータユニットを受信するように構成される。受信され、復号され、またはさもなければ処理され得るデータユニットについて、以下で説明する。
【０１９１】
[00214]図２１に示す態様では、受信機２１１２は受信増幅器２１０１を含む。受信増幅器２１０１は、受信機２１１２によって受信されたワイヤレス信号を増幅するように構成され得る。いくつかの態様では、受信機２１１２は、自動利得制御（ＡＧＣ）手順を使用して、受信増幅器２１０１の利得を調整するように構成される。いくつかの態様では、自動利得制御は、たとえば、利得を調整するために、受信されたショートトレーニングフィールド（ＳＴＦ）などの１つまたは複数の受信されたトレーニングフィールド内の情報を使用する。当業者はＡＧＣを実行するための方法を理解されよう。いくつかの態様では、増幅器２１０１はＬＮＡを備える。
【０１９２】
[00215]装置１９０２ｒは、受信機２１１２からの増幅されたワイヤレス信号をそのデジタル表現に変換するように構成されたアナログデジタル変換器２１１０を備え得る。増幅されることに加えて、ワイヤレス信号は、デジタルアナログ変換器２１１０によって変換される前に、たとえば、フィルタ処理されることによって、または中間周波数もしくはベースバンド周波数にダウンコンバートされることによって、処理され得る。アナログデジタル変換器２１１０は、処理システム１９０４（図１９）内でまたは装置１９０２ｒの別の要素内で実装され得る。いくつかの態様では、アナログデジタル変換器２１１０は、送受信機１９１４（図１９）内でまたはデータ受信プロセッサ内で実装される。
【０１９３】
[00216]装置１９０２ｒは、ワイヤレス信号の表現を周波数スペクトルに変換するように構成された変換モジュール２１０４をさらに備え得る。図２１では、変換モジュール２１０４は、高速フーリエ変換（ＦＦＴ）モジュールによって実装されるものとして示されている。いくつかの態様では、変換モジュールは、それが使用する各点についてシンボルを識別することができる。図２０に関して上で説明したように、変換モジュール２１０４は、複数のモードで構成され得、各モードで信号を変換するために異なる数の点を使用し得る。変換モジュール２１０４によって使用される点の数は、変換モジュール２１０４のサイズと呼ばれることがある。いくつかの態様では、変換モジュール２１０４は、それが使用する各点についてシンボルを識別し得る。
【０１９４】
[00217]装置１９０２ｒは、データユニットがそれを介して受信されるチャネルの推定値を形成することと、チャネル推定値に基づいてチャネルのいくつかの影響を除去することとを行うように構成されたチャネル推定器兼等化器２１０５をさらに備え得る。たとえば、チャネル推定器２１０５は、チャネルの関数を近似するように構成され得、チャネル等化器は、その関数の逆を周波数スペクトルにおけるデータに適用するように構成され得る。
【０１９５】
[00218]装置１９０２ｒは、等化されたデータを復調するように構成された復調器２１０６をさらに備える場合がある。たとえば、復調器２１０６は、たとえばコンステレーションにおいてビットとシンボルとのマッピングを逆転させることによって、変換モジュール２１０４およびチャネル推定器兼等化器２１０５によって出力されたシンボルから複数のビットを決定することができる。それらのビットは、処理システム１９０４（図１９）によって処理または評価され得るか、あるいはユーザインターフェース１９２２（図１９）に情報をインジケーションするかまたはさもなければ出力するために使用され得る。このようにして、データおよび／または情報が復号され得る。いくつかの態様では、それらのビットはコードワードに対応する。一態様では、復調器２１０６は、ＱＡＭ（直交振幅変調）復調器、たとえば１６ＱＡＭ復調器または６４ＱＡＭ復調器を備える。他の態様では、復調器２１０６は、２位相シフトキーイング（ＢＰＳＫ）復調器または４位相シフトキーイング（ＱＰＳＫ）復調器を備える。
【０１９６】
[00219]図２１では、変換モジュール２１０４、チャネル推定器兼等化器２１０５、および復調器２１０６は、ＤＳＰ２１２０内で実装されるものとして示されている。しかしながら、いくつかの態様では、変換モジュール２１０４、チャネル推定器兼等化器２１０５、および復調器２１０６のうちの１つもしくは複数が処理システム１９０４（図１９）内でまたは装置１９０２（図１９）の別の要素内で実装される。
【０１９７】
[00220]上で説明したように、受信機１９１２において受信されたワイヤレス信号は、１つまたは複数のデータユニットを備える。上で説明した機能または構成要素を使用して、データユニットもしくはその中のデータシンボルは、復号され評価されるか、またはさもなければ、評価もしくは処理され得る。たとえば、処理システム１９０４（図１９）および／またはＤＳＰ２１２０は、変換モジュール２１０４と、チャネル推定器兼等化器２１０５と、復調器２１０６とを使用して、データユニット内のデータシンボルを復号するために使用され得る。
【０１９８】
[00221]ＡＰ１０４およびＳＴＡ１０６によって交換されるデータユニットは、上で説明したように、制御情報またはデータを含む場合がある。物理（ＰＨＹ）レイヤにおいて、これらのデータユニットは、物理レイヤプロトコルデータユニット（ＰＰＤＵ）と呼ばれる場合がある。いくつかの態様では、ＰＰＤＵはパケットまたは物理レイヤパケットと呼ばれる場合がある。各ＰＰＤＵはプリアンブルとペイロードとを備え得る。プリアンブルはトレーニングフィールドとＳＩＧフィールドとを含み得る。ペイロードは、たとえば、媒体アクセス制御（ＭＡＣ）ヘッダもしくは他のレイヤのためのデータ、および／またはユーザデータを備え得る。ペイロードは、１つまたは複数のデータシンボルを使用して送信され得る。本明細書のシステム、方法、およびデバイスは、ピーク対電力比が最小限に抑えられたトレーニングフィールドを有するデータユニットを利用することができる。
【０１９９】
[00222]図２０に示す装置１９０２ｔは、アンテナを介して送信される単一の送信チェーンの一例を示している。図２１に示す装置１９０２ｒは、アンテナを介して受信される単一の受信チェーンの一例を示している。いくつかの実装形態では、装置１９０２ｔまたは１９０２ｒは、データを同時に送信するために複数のアンテナを使用してＭＩＭＯシステムの一部分を実装し得る。
【０２００】
[00223]ワイヤレスネットワーク１００は、衝突を回避しながら、予測不可能なデータ送信に基づいて、ワイヤレス媒体の効率的なアクセスを可能にするための方法を用いることができる。したがって、様々な態様によれば、ワイヤレスネットワーク１００は、分散協調機能（ＤＣＦ）と呼ばれる場合があるキャリア検知多重アクセス／衝突回避（ＣＳＭＡ／ＣＡ）を実行する。より一般的には、送信のためのデータを有する装置１９０２は、チャネルがすでに占有されているかどうかを決定するためにワイヤレス媒体を検知する。装置１９０２が、そのチャネルがアイドルであることを検知する場合、装置１９０２は準備されたデータを送信する。さもなければ、装置１９０２は、ワイヤレス媒体が送信を自由に行うことができるか否かを再度決定する前に、何らかの期間の間延期し得る。ＣＳＭＡを実行するための方法は、衝突を回避するために連続的な送信間に様々なギャップを用いることができる。一態様では、送信はフレームと呼ばれる場合があり、フレーム間のギャップはフレーム間スペース（ＩＦＳ）と呼ばれる。フレームは、ユーザデータ、制御フレーム、管理フレームなどのうちの任意の１つであり得る。
【０２０１】
[00224]ＩＦＳ時間持続期間は、提供される時間ギャップのタイプに応じて異なり得る。ＩＦＳのいくつかの例としては、ショートフレーム間スペース（ＳＩＦＳ）、ポイントフレーム間スペース（ＰＩＦＳ）、およびＤＣＦフレーム間スペース（ＤＩＦＳ）があり、この場合、ＳＩＦＳは、ＤＩＦＳよりも短いＰＩＦＳよりも短い。より短い時間持続期間に続く送信は、チャネルにアクセスしようとする前により長く待機しなければならない送信よりも、より高い優先順位を有することになる。
【０２０２】
[00225]ワイヤレス装置は、ワイヤレス装置によって送信されるまたはワイヤレス装置において受信される信号に基づいて機能を実行する様々な構成要素を含み得る。たとえば、いくつかの実装形態では、本明細書で教示するように、ワイヤレス装置は、受信された信号に基づいてインジケーションを出力するように構成されたユーザインターフェースを備える。
【０２０３】
[00226]本明細書で教示するワイヤレス装置は、適切なワイヤレス通信技術に基づくか、またはさもなければそれをサポートする、１つもしくは複数のワイヤレス通信リンクを介して通信し得る。たとえば、いくつかの態様では、ワイヤレス装置は、ローカルエリアネットワーク（たとえば、Ｗｉ−Ｆｉネットワーク）またはワイドエリアネットワークなど、ネットワークに関連し得る。この目的で、ワイヤレス装置は、たとえば、Ｗｉ−Ｆｉ、ＷｉＭＡＸ（登録商標）、ＣＤＭＡ、ＴＤＭＡ、ＯＦＤＭ、およびＯＦＤＭＡなど、様々なワイヤレス通信技術、プロトコル、または規格のうちの１つもしくは複数をサポートするか、またはさもなければ使用し得る。また、ワイヤレス装置は、様々な対応する変調方式または多重化方式のうちの１つもしくは複数をサポートするか、あるいはさもなければ使用し得る。したがって、ワイヤレス装置は、上記または他のワイヤレス通信技術を使用して１つもしくは複数のワイヤレス通信リンクを確立し、それを介して通信するための適切な構成要素（たとえば、エアインターフェース）を含み得る。たとえば、デバイスは、ワイヤレス媒体上での通信を容易にする様々な構成要素（たとえば、信号生成器および信号プロセッサ）を含み得る、関連付けられた送信機構成要素と受信機構成要素とをもつワイヤレス送受信機を備え得る。
【０２０４】
[00227]本明細書の教示は、様々な装置（たとえば、ノード）に組み込まれ得る（たとえば、それらの装置内に実装されるか、またはそれらの装置によって実行され得る）。いくつかの態様では、本明細書の教示に従って実装されるワイヤレス装置（たとえば、ワイヤレスノードもしくはワイヤレスデバイス）はアクセスポイント、中継器、またはアクセス端末を備え得る。
【０２０５】
[00228]アクセス端末は、ユーザ機器、加入者局、加入者ユニット、移動局、モバイル、モバイルノード、遠隔局、遠隔端末、ユーザ端末、ユーザエージェント、ユーザデバイス、もしくは何らかの他の用語を備えるか、それらのいずれかとして実装されるか、またはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示する１つもしくは複数の態様は、電話（たとえば、セルラーフォンもしくはスマートフォン）、コンピュータ（たとえば、ラップトップ）、ポータブル通信デバイス、ポータブルコンピューティングデバイス（たとえば、携帯情報端末）、エンターテインメントデバイス（たとえば、音楽デバイス、ビデオデバイス、もしくは衛星ラジオ）、全地球測位システムデバイス、またはワイヤレス媒体を介して通信するように構成された他の適切なデバイスに組み込まれ得る。
【０２０６】
[00229]アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、送受信機機能（ＴＦ）、無線送受信機、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、もしくは何らかの他の同様の用語を備えることが可能であり、それらのいずれかとして実装されることが可能であり、またはそれらのいずれかとして知られている場合ある。
【０２０７】
[00230]中継器は、中継ノード、中継デバイス、中継局、中継装置、もしくは何らかの他の類似の用語を備えることが可能であり、それらとして実装されることが可能であり、またはそれらとして知られている場合がある。上で論じたように、いくつかの態様では、中継器は、何らかのアクセス端末機能および何らかのアクセスポイント機能を備え得る。
【０２０８】
[00231]いくつかの態様では、ワイヤレス装置は、通信システムのためのアクセスデバイス（たとえば、アクセスポイント）を備える。そのようなアクセスデバイスは、たとえば、ワイヤードまたはワイヤレスの通信リンクを介した、別のネットワーク（たとえば、インターネットもしくはセルラーネットワークなど、ワイドエリアネットワーク）への接続性を与える。したがって、アクセスデバイスは、別のデバイス（たとえば、ワイヤレス局）が他のネットワークまたは何らかの他の機能にアクセスできるようにする。さらに、それらのデバイスのうちの一方もしくは両方はポータブルであるか、または場合によっては、比較的非ポータブルであり得ることを諒解されたい。また、ワイヤレス装置は、適切な通信インターフェースを介して非ワイヤレス方式で（たとえば、ワイヤード接続を介して）情報を送信および／または受信することも可能であり得ることを諒解されたい。
【０２０９】
[00232]本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリービングなどのうちの１つまたは複数を指定することによって）、複数のユーザとの通信をサポートすることが可能な多元接続システムにおいて用いられ得る。たとえば、本明細書の教示は次の技術のいずれか１つまたはそれらの組合せに適用され得る。すなわち、符号分割多元接続（ＣＤＭＡ）システム、多重キャリアＣＤＭＡ（ＭＣＣＤＭＡ）、広帯域ＣＤＭＡ（Ｗ−ＣＤＭＡ（登録商標））、高速パケットアクセス（ＨＳＰＡ、ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術である。本明細書の教示を用いるワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、ユニバーサルテレストリアルラジオアクセス（ＵＴＲＡ）、ｃｄｍａ２０００、または何らかの他の技術などの無線技術を実装し得る。ＵＴＲＡは、Ｗ−ＣＤＭＡと低チップレート（ＬＣＲ）とを含む。ｃｄｍａ２０００技術は、ＩＳ−２０００、ＩＳ−９５およびＩＳ−８５６規格をカバーする。ＴＤＭＡネットワークは、グローバルシステムフォーモバイルシステム（ＧＳＭ（登録商標））などの無線技術を実装し得る。ＯＦＤＭＡネットワークは、発展型ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ）の一部である。本明細書の教示は、３ＧＰＰロングタームエボリューション（ＬＴＥ）システム、ウルトラモバイルブロードバンド（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは「第３世代パートナーシッププロジェクト」（３ＧＰＰ）と称する団体からの文書に記載されており、ｃｄｍａ２０００は、「第３世代パートナーシッププロジェクト２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０２１０】
[00233]図２２は、本明細書で教示する通信動作を実行するために（たとえば、それぞれ、アクセス端末、アクセスポイントまたは中継器、およびネットワークエンティティ（たとえば、ネットワークデバイス）に対応する）装置２２０２、装置２２０４、ならびに装置２２０６の中に組み込まれることが可能な（対応するブロックによって表される）いくつかの例示的な構成要素を示す。これらの構成要素は、異なる実装形態では、異なるタイプの装置において（たとえば、ＡＳＩＣにおいて、システムオンチップ（ＳｏＣ）において、などで）実装され得ることを諒解されたい。説明する構成要素はまた、通信システム内の他の装置に組み込まれ得る。たとえば、システム内の他の装置は、同様の機能を与えるために説明するものと同様の構成要素を含み得る。また、所与の装置は説明する構成要素のうちの１つまたは複数を含み得る。たとえば、装置は、装置が複数のキャリア上で動作し、および／または異なる技術によって通信することを可能にする、複数の送受信機構成要素を含み得る。
【０２１１】
[00234]装置２２０２および装置２２０４は各々、少なくとも１つの指定された無線アクセス技術を介して他のノードと通信するための（通信デバイス２２０８および２２１４（ならびに、装置２２０４が中継器である場合、通信デバイス２２２０）によって表される）少なくとも１つのワイヤレス通信デバイスを含む。各通信デバイス２２０８は、信号（たとえば、メッセージ、インジケーション、情報など）を送信および符号化するための（送信機２２１０によって表される）少なくとも１つの送信機と、信号（たとえば、メッセージ、インジケーション、情報、パイロットなど）を受信および復号するための（受信機２２１２によって表される）少なくとも１つの受信機とを含む。同様に、各通信デバイス２２１４は、信号（たとえば、メッセージ、インジケーション、情報、パイロットなど）を送信するための（送信機２２１６によって表される）少なくとも１つの送信機と、信号（たとえば、メッセージ、インジケーション、情報など）を受信するための（受信機２２１８によって表される）少なくとも１つの受信機とを含む。装置２２０４が中継器である場合、各通信デバイス２２２０は、信号（たとえば、メッセージ、インジケーション、情報、パイロットなど）を送信するための（送信機２２２２によって表される）少なくとも１つの送信機と、信号（たとえば、メッセージ、インジケーション、情報など）を受信するための（受信機２２２４によって表される）少なくとも１つの受信機とを含む。
【０２１２】
[00235]送信機および受信機は、いくつかの実装形態では、（たとえば、単一の通信デバイスの送信機回路および受信機回路として組み込まれる）集積デバイスを備え得、いくつかの実装形態では、別個の送信機デバイスおよび別個の受信機デバイスを備え得、または他の実装形態では、他の方法で組み込まれ得る。いくつかの態様では、装置２２０４のワイヤレス通信デバイス（たとえば、複数のワイヤレス通信デバイスのうちの１つ）はネットワークリッスンモジュールを備える。
【０２１３】
[00236]装置２２０６（および、それがアクセスポイントである場合、装置２２０４）は、他のノードと通信するための（通信デバイス２２２６、および、オプションで、２２２０によって表される）少なくとも１つの通信デバイスを含む。たとえば、通信デバイス２２２６は、ワイヤベースまたはワイヤレスのバックホールを介して１つもしくは複数のネットワークエンティティと通信するように構成されるネットワークインターフェースを備え得る。いくつかの態様では、通信デバイス２２２６は、ワイヤベースまたはワイヤレスの信号通信をサポートするように構成された送受信機として実装され得る。この通信は、たとえば、メッセージ、パラメータ、または他のタイプの情報を送信および受信することに関与し得る。したがって、図２２の例では、通信デバイス２２２６は、送信機２２２８と受信機２２３０とを備えるものとして示されている。同様に、装置２２０４がアクセスポイントである場合、通信デバイス２２２０は、ワイヤベースまたはワイヤレスのバックホールを介して１つもしくは複数のネットワークエンティティと通信するように構成されるネットワークインターフェースを備え得る。通信デバイス２２２６と同様に、通信デバイス２２２０は、送信機２２２２と受信機２２２４とを備えるものとして示されている。
【０２１４】
[00237]装置２２０２、２２０４、および２２０６は、本明細書で教示する通信動作と連携して使用され得る他の構成要素も含む。装置２２０２は、たとえば、本明細書で教示する装置２２０４（または、何らかの他の装置）と通信することに関する機能を提供するため、および他の処理機能を提供するための処理システム２２３２を含む。装置２２０４は、たとえば、本明細書で教示する装置２２０２（または、何らかの他の装置）と通信することに関する機能を提供するため、および他の処理機能を提供するための処理システム２２３４を含む。装置２２０６は、たとえば、本明細書で教示する装置２２０２および２２０４（または、何らかの他の装置）による通信をサポートすることに関する機能を提供するため、ならびに他の処理機能を提供するための処理システム２２３６を含む。装置２２０２、２２０４、および２２０６は、情報（たとえば、パラメータなど）を維持するための（たとえば、各々がメモリデバイスを含む）メモリデバイス２２３８、２２４０および２２４２をそれぞれ含む。さらに、デバイス２２０２、２２０４、および２２０６は、インジケーション（たとえば、可聴インジケーションおよび／または視覚インジケーション）をユーザに与えるため、および／または（たとえば、キーパッド、タッチスクリーン、マイクロフォンなどの検知デバイスをユーザが作動すると）ユーザ入力を受信するためのユーザインターフェースデバイス２２４４、２２４６および２２４８をそれぞれ含む。
【０２１５】
[00238]便宜上、装置２２０２は、図２２では、本明細書で説明する様々な例において使用され得る構成要素を含むものとして示されている。実際には、図示したブロックは、異なる態様では異なる機能を有し得る。たとえば、図４の動作をサポートするためのブロック２２３４の機能は、図６の動作をサポートするためのブロック２２３４の機能と比較して異なり得る。
【０２１６】
[00239]図２２の構成要素は、様々な方法で実装され得る。いくつかの実装形態では、図２２の構成要素は、たとえば、１つもしくは複数のプロセッサ、および／または（１つもしくは複数のプロセッサを含み得る）１つもしくは複数のＡＳＩＣなど、１つもしくは複数の回路において実装され得る。ここで、各回路は、この機能を与えるために回路によって使用される情報もしくは実行可能コードを記憶するための少なくとも１つのメモリ構成要素を使用し、および／または組み込み得る。たとえば、ブロック２２０８、２２３２、２２３８、および２２４４によって表される機能の一部または全部は、装置２２０２のプロセッサとメモリ構成要素とによって（たとえば、適切なコードの実行によっておよび／またはプロセッサ構成要素の適切な構成によって）実装され得る。同様に、ブロック２２１４、２２２０、２２３４、２２４０、および２２４６によって表される機能の一部または全部は、装置２２０４のプロセッサとメモリ構成要素とによって（たとえば、適切なコードの実行によっておよび／またはプロセッサ構成要素の適切な構成によって）実装され得る。また、ブロック２２２６、２２３６、２２４２、および２２４８によって表される機能の一部または全部は、装置２２０６のプロセッサとメモリ構成要素とによって（たとえば、適切なコードの実行によっておよび／またはプロセッサ構成要素の適切な構成によって）実装され得る。
【０２１７】
[00240]本明細書で説明する構成要素は、様々な様式で実装され得る。図２３〜図２８を参照すると、装置２３００〜２８００は、たとえば、１つもしくは複数の集積回路（たとえば、ＡＳＩＣ）によって実装されるか、または本明細書で教示する何らかの他の方法で実装される機能を表す、一連の相互に関係する機能ブロックとして表される。本明細書で論じるように、集積回路は、プロセッサ、ソフトウェア、他の構成要素、またはそれらの何らかの組合せを含み得る。
【０２１８】
[00241]装置２３００は、様々な図に関して上記で説明した機能のうちの１つまたは複数を実行し得る１つまたは複数のモジュールを含む。たとえば、スケジュール２３０２を受信するためのＡＳＩＣは、たとえば、本明細書で論じる（たとえば、ＲＦ受信チェーン回路を備えた）受信機に対応し得る。制御信号を受信するためのＡＳＩＣ２３０４は、たとえば、本明細書で論じる受信機に対応し得る。アクティブ状態で動作させるためのＡＳＩＣ２３０６は、たとえば、本明細書で論じる処理システムに対応し得る。アクティブ状態を起動するかどうかを決定するためのＡＳＩＣ２３０８は、たとえば、本明細書で説明する処理システムに対応し得る。情報転送を起動するかどうかを決定するためのＡＳＩＣ２３１０は、たとえば、本明細書で説明する処理システムに対応し得る。送信するためのＡＳＩＣ２３１２は、たとえば、本明細書で論じる（たとえば、ＲＦ送信チェーン回路を備えた）送信機に対応し得る。
【０２１９】
[00242]装置２４００も、様々な図に関して上記で説明した機能のうちの１つまたは複数を実行し得る１つまたは複数のモジュールを含む。たとえば、スケジュールを定義するためのＡＳＩＣ２４０２は、たとえば、本明細書で論じる処理システムに対応し得る。装置がアクティブ状態で動作するべきであると決定するためのＡＳＩＣ２４０４は、たとえば、本明細書で論じる処理システムに対応し得る。制御信号を送信するためのＡＳＩＣ２４０６は、たとえば、本明細書で論じる送信機に対応し得る。パケットを受信するためのＡＳＩＣ２４０８は、たとえば、本明細書で論じる受信機に対応し得る。パケットを処理するためのＡＳＩＣ２４１０は、たとえば、本明細書で論じる処理システムに対応し得る。装置が経路の一部であることを識別するためのＡＳＩＣ２４１２は、たとえば、本明細書で論じる処理システムに対応し得る。パケットを転送するためのＡＳＩＣ２４１４は、たとえば、本明細書で論じる処理システムに対応し得る。シグナリング期間および情報転送期間を定義するためのＡＳＩＣ２４１６は、たとえば、本明細書で論じる処理システムに対応し得る。
【０２２０】
[00243]装置２５００は、様々な図に関して上記で説明した機能のうちの１つまたは複数を実行し得る１つまたは複数のモジュールを含む。たとえば、スケジュールを定義するためのＡＳＩＣ２５０２は、たとえば、本明細書で論じる処理システムに対応し得る。送信するためのＡＳＩＣ２５０４は、たとえば、本明細書で論じる通信デバイスに対応し得る。時間期間を定義するためのＡＳＩＣ２５０６は、たとえば、本明細書で論じる処理システムに対応し得る。通信するためのＡＳＩＣ２５０８は、たとえば、本明細書で論じる通信デバイスに対応し得る。受信するためのＡＳＩＣ２５１０は、たとえば、本明細書で論じる通信デバイスに対応し得る。ウェイクするためのＡＳＩＣ２５１２は、たとえば、本明細書で論じる処理システムに対応し得る。処理するためのＡＳＩＣ２５１４は、たとえば、本明細書で論じる処理システムに対応し得る。識別するためのＡＳＩＣ２５１６は、たとえば、本明細書で論じる処理システムに対応し得る。転送するためのＡＳＩＣ２５１８は、たとえば、本明細書で論じる通信デバイスに対応し得る。起動するためのＡＳＩＣ２５２０は、たとえば、本明細書で論じる処理システムに対応し得る。
【０２２１】
[00244]装置２６００も、様々な図に関して上記で説明した機能のうちの１つまたは複数を実行し得る１つまたは複数のモジュールを含む。たとえば、受信するためのＡＳＩＣ２６０２は、たとえば、本明細書で論じる通信デバイスに対応し得る。決定するためのＡＳＩＣ２６０４は、たとえば、本明細書で論じる処理システムに対応し得る。動作させるためのＡＳＩＣ２６０６は、たとえば、本明細書で論じる処理システムに対応し得る。再ブロードキャストするためのＡＳＩＣ２６０８は、たとえば、本明細書で論じる通信デバイスに対応し得る。送信するためのＡＳＩＣ２６１０は、たとえば、本明細書で論じる通信デバイスに対応し得る。
【０２２２】
[00245]装置２７００は、様々な図に関して上記で説明した機能のうちの１つまたは複数を実行し得る１つまたは複数のモジュールを含む。たとえば、スケジュールを定義するためのＡＳＩＣ２７０２は、たとえば、本明細書で論じる処理システムに対応し得る。送信するためのＡＳＩＣ２７０４は、たとえば、本明細書で論じる通信デバイスに対応し得る。指定するためのＡＳＩＣ２７０６は、たとえば、本明細書で論じる処理システムに対応し得る。通信するためのＡＳＩＣ２７０８は、たとえば、本明細書で論じる通信デバイスに対応し得る。再ブロードキャストするためのＡＳＩＣ２７１０は、たとえば、本明細書で論じる通信デバイスに対応し得る。受信するためのＡＳＩＣ２７１２は、たとえば、本明細書で論じる通信デバイスに対応し得る。起動するためのＡＳＩＣ２７１４は、たとえば、本明細書で論じる処理システムに対応し得る。
【０２２３】
[00246]装置２８００も、様々な図に関して上記で説明した機能のうちの１つまたは複数を実行し得る１つまたは複数のモジュールを含む。たとえば、受信するためのＡＳＩＣ２８０２は、たとえば、本明細書で論じる通信デバイスに対応し得る。決定するためのＡＳＩＣ２８０４は、たとえば、本明細書で論じる処理システムに対応し得る。動作させるためのＡＳＩＣ２８０６は、たとえば、本明細書で論じる処理システムに対応し得る。再ブロードキャストするためのＡＳＩＣ２８０８は、たとえば、本明細書で論じる通信デバイスに対応し得る。送信するためのＡＳＩＣ２８１０は、たとえば、本明細書で論じる通信デバイスに対応し得る。
【０２２４】
[00247]上記のように、いくつかの態様では、これらのモジュールは、適切なプロセッサ構成要素により実装され得る。これらのプロセッサ構成要素は、いくつかの態様では、少なくとも部分的には本明細書で教示する構造を使用して実装され得る。いくつかの態様では、プロセッサは、これらのモジュールのうちの１つまたは複数の機能の一部または全部を実装するように構成され得る。したがって、異なるモジュールの機能は、たとえば、集積回路の異なるサブセットとして、ソフトウェアモジュールのセットの異なるサブセットとして、またはそれらの組合せとして実装され得る。また、（たとえば、集積回路のおよび／またはソフトウェアモジュールのセットの）所与のサブセットは、機能の少なくとも一部分を２つ以上のモジュールに与え得ることを諒解されたい。いくつかの態様では、点線ボックスによって表される任意の構成要素のうちの１つまたは複数は随意である。
【０２２５】
[00248]上記のように、いくつかの実装形態では、装置２３００〜２８００は、１つまたは複数の集積回路を備える。たとえば、いくつかの態様では、単一の集積回路は、示した構成要素のうちの１つまたは複数の機能を実装するが、他の態様では、２つ以上の集積回路が、示した構成要素のうちの１つまたは複数の機能を実装する。１つの特定の例として、装置２３００は、（たとえば、構成要素２３０２〜２３１２があるＡＳＩＣの異なるセクションを備える）単一のデバイスを備え得る。別の特定の例として、装置２３００は、（たとえば、構成要素２３０２、２３０４、および２３１２があるＡＳＩＣを備え、構成要素２３０６、２３０８、および２３１０が別のＡＳＩＣを備える）いくつかのデバイスを備え得る。
【０２２６】
[00249]さらに、図２３〜図２８によって表される構成要素ならびに機能と、本明細書で説明する他の構成要素ならびに機能とは任意の適切な手段を使用して実装され得る。そのような手段は、少なくとも部分的に、本明細書で教示する対応する構造を使用して実装される。たとえば、図２３〜図２８の構成要素「のためのＡＳＩＣ」に関連して上で説明した構成要素は、同様に指定された機能「のための手段」に対応する。したがって、いくつかの実装形態では、そのような手段のうちの１つまたは複数は、本明細書で教示するプロセッサ構成要素、集積回路、または他の適切な構造のうちの１つもしくは複数を使用して実装される。いくつかの例を以下に示す。いくつかの態様では、受信するための手段は受信機を備える。いくつかの態様では、送信するための手段は送信機を備える。いくつかの態様では、通信するための手段は送受信機を備える。いくつかの態様では、再ブロードキャストするための手段は送受信機を備える。いくつかの態様では、動作させるための手段は処理システムを備える。いくつかの態様では、決定するための手段は処理システムを備える。いくつかの態様では、定義するための手段は処理システムを備える。いくつかの態様では、処理するための手段は処理システムを備える。いくつかの態様では、識別するための手段は処理システムを備える。いくつかの態様では、転送するための手段は処理システムを備える。いくつかの態様では、ウェイクするための手段は処理システムを備える。いくつかの態様では、起動するための手段は処理システムを備える。いくつかの態様では、指定するための手段は処理システムを備える。
【０２２７】
[00250]いくつかの実装形態では、送受信機などの通信デバイス構造は、受信するための手段の機能を具現化するように構成される。たとえば、この構造は、受信動作を起動するようにプログラムまたは設計され得る。さらに、この構造は、受信動作の結果として受信される何らかの信号を処理する（たとえば、復調および復号する）ようにプログラムまたは設計され得る。さらに、この構造は、処理の結果として受信された信号から抽出されたデータ（たとえば、データユニット、制御シグナリング、転送された情報、スケジュール情報、パケット、インジケーション、もしくは他の情報）を出力するようにプログラムまたは設計され得る。典型的には、通信デバイス構造は、ワイヤレスベース送受信機デバイスまたはワイヤベース送受信機デバイスを備える。
【０２２８】
[00251]いくつかの実装形態では、送受信機などの通信デバイス構造は、送信するための手段の機能を具現化するように構成される。たとえば、この構造は、送信されるデータ（たとえば、データユニット、制御シグナリング、転送された情報、スケジュール情報、パケット、インジケーション、もしくは他の情報）を取得するようにプログラムまたは設計され得る。さらに、この構造は、取得されたデータを処理する（たとえば、変調および符号化する）ようにプログラムまたは設計され得る。さらに、この構造は、処理されたデータを送信のための１つもしくは複数のアンテナに結合するようにプログラムまたは設計され得る。典型的には、通信デバイス構造は、ワイヤレスベース送受信機デバイスまたはワイヤベース送受信機デバイスを備える。
【０２２９】
[00252]いくつかの実装形態では、ＡＳＩＣまたはプログラマブルプロセッサなどの処理システム構造は、アクティブ状態で動作するための手段の機能を具現化するように構成される。この構造は、転送されるべき情報が存在するかどうかを示す情報（たとえば、ＮＤＰパージングフレーム）を取得するようにプログラムまたは設計され得る。この構造は、アクティブ状態および／もしくは情報転送を起動するかどうかを決定するために、受信された情報を処理するようにプログラムまたは設計され得る。この構造は、次いで、処理の結果を示すインジケーションを出力するようにプログラムまたは設計され得る。たとえば、信号は、装置を非アクティブ状態（たとえば、より低い電力モード）からアクティブ状態（たとえば、より高い電力モード）に切り替わるようにするために生成され得る。別の例として、信号は、装置に、情報転送を起動するためのインジケーション（たとえば、ＰＳ  Ｐｏｌｌ）を別の装置に送信させるために生成され得る。いくつかの実装形態では、この構造は、図２〜図６、図１３、または図１８のうちの１つまたは複数に関して説明したアクティブ化関連機能を実装するように構成される。
【０２３０】
[00253]いくつかの実装形態では、ＡＳＩＣまたはプログラマブルプロセッサなどの処理システム構造は、スケジュールを定義するための手段の機能を具現化するように構成される。この構造は、スケジューリングパラメータを決定するために使用される情報を獲得するようにプログラムまたは設計され得る。この構造は、獲得された情報に基づいてスケジュールを生成するために、受信されたシグナリング情報を処理するようにプログラムまたは設計され得る。たとえば、シグナリング期間および情報送信機期間がビーコン間隔内で定義され得る。この構造は、次いで、処理の結果を示すインジケーションを出力するようにプログラムまたは設計され得る。たとえば、定義されたスケジュールは他の装置に送信され得る。いくつかの実装形態では、この構造は、図２〜図６、図１３、または図１８のうちの１つまたは複数に関して説明したアクティブ化関連機能を実装するように構成される。
【０２３１】
[00254]いくつかの実装形態では、ＡＳＩＣまたはプログラマブルプロセッサなどの処理システム構造は、装置がアクティブ状態で動作するべきであると決定するための手段の機能を具現化するように構成される。この構造は、転送されるべき情報が存在するかどうかを示す情報（たとえば、受信されたパケット）を取得するようにプログラムまたは設計され得る。この構造は、特定の装置に対する情報転送を起動するかどうかを決定するために、受信された情報を処理するようにプログラムまたは設計され得る。たとえば、装置は、そのパケットに関する宛先を識別して、そのパケットのための経路の一部であるとしてその装置を識別するために、受信されたパケットを処理することができる。この構造は、次いで、処理の結果を示すインジケーションを出力するようにプログラムまたは設計され得る。たとえば、信号は、装置に、情報転送を起動するためのインジケーション（たとえば、ＮＤＰページングフレーム）を他の装置に送信させるために生成され得る。別の例として、信号は、装置に、情報転送を完了するためのインジケーションを他の装置との間で送信または受信（たとえば、パケットを転送）させるために生成され得る。いくつかの実装形態では、この構造は、図２〜図６、図１３、または図１８のうちの１つもしくは複数に関して説明したアクティブ化関連機能を実装するように構成される。
【０２３２】
[00255]いくつかの態様では、装置または装置の構成要素は、本明細書で教示する機能を与えるように構成され得る（またはそのように動作可能であるかまたは適応され得る）。これは、たとえば、その機能を与えるように装置もしくは構成要素を製造する（たとえば、作製する）ことによって、その機能を与えるように装置もしくは構成要素をプログラムすることによって、またはいくつかの他の適切な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【０２３３】
[00256]また、本明細書における「第１」、「第２」などの名称を使用した要素への言及は、それらの要素の数量または順序を一般的に限定するものでないことを理解されたい。むしろ、これらの名称は、概して、本明細書において２つ以上の要素またはある要素の複数の例を区別する便利な方法として使用される。したがって、第１の要素および第２の要素への言及は、そこで２つの要素のみが用いられ得ること、または第１の要素が何らかの方法で第２の要素に先行しなければならないことを意味するものではない。また、別段に記載されていない限り、要素のセットは１つまたは複数の要素を備える。さらに、明細書または特許請求の範囲において使用される「Ａ、Ｂ、またはＣのうちの少なくとも１つ」あるいは「Ａ、Ｂ、またはＣのうちの１つもしくは複数」あるいは「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【０２３４】
[00257]本明細書で使用する「決定する」という用語は、多種多様な活動を包含する。たとえば、「決定すること」は、計算すること、算出すること、処理すること、導出すること、調査すること、探索すること（たとえば、テーブル、データベース、または他のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０２３５】
[00258]情報および信号は、様々な異なる技術および技法のいずれを使用しても表され得ることを当業者は理解されよう。たとえば、上記の説明全体にわたって言及されるデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０２３６】
[00259]さらに、本明細書で開示した態様に関して説明した様々な例示的な論理ブロック、モジュール、プロセッサ、手段、回路、およびアルゴリズムステップのいずれも、電子ハードウェア（たとえば、ソースコーディングもしくは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」もしくは「ソフトウェアモジュール」と呼ぶことがある）、あるいはその両方の組合せとして実装され得ることを当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実現されるか、ソフトウェアとして実現されるかは、特定の適用例および全体的なシステムに課された設計制約によって決まる。当業者は、説明した機能を特定の適用例ごとに様々な方法で実装し得るが、そのような実装の判定は、本開示の範囲からの逸脱を生じるものと解釈すべきではない。
【０２３７】
[00260]本明細書で開示した態様に関して説明した様々な例示的な論理ブロック、モジュール、および回路は、処理システム、集積回路（「ＩＣ」）、アクセス端末、またはアクセスポイントの中で実装され得るか、またはそれらによって実行され得る。処理システムは、１つもしくは複数のＩＣを使用して実装され得、または、（たとえば、チップ上のシステムの一部として）ＩＣ内に実装され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電子的構成要素、光学的構成要素、機械的構成要素、または本明細書で説明した機能を実行するように設計されたそれらの任意の組合せを備え得、ＩＣの内部に、ＩＣの外側に、またはその両方に存在するコードまたは命令を実行し得る。汎用プロセッサはマイクロプロセッサとすることができるが、代替形態として、プロセッサは、任意の従来のプロセッサ、コントローラ、マイクロコントローラ、または状態機械とすることができる。プロセッサはまた、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。
【０２３８】
[00261]開示したプロセス内のステップの特定の順序または階層は、例示的な手法の一例であることを理解されたい。設計の選好に基づいて、プロセス内のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０２３９】
[00262]本明細書で開示した態様に関して説明した方法またはアルゴリズムのステップは、直接ハードウェアで具現化され得るか、プロセッサによって実行されるソフトウェアモジュールで具現化され得るか、またはその２つの組合せで具現化され得る。（たとえば、実行可能な命令および関係するデータを含む）ソフトウェアモジュールならびに他のデータは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態のコンピュータ可読記憶媒体など、メモリ内に存在し得る。例示的な記憶媒体は、プロセッサが記憶媒体から情報（たとえば、コード）を読み取り、記憶媒体に情報を書き込むことができるように、たとえば、コンピュータ／プロセッサ（便宜上、本明細書では「プロセッサ」と呼ぶことがある）などの機械に結合され得る。例示的な記憶媒体はプロセッサに一体化され得る。プロセッサおよび記憶媒体はＡＳＩＣ内に存在し得る。ＡＳＩＣはユーザ機器内に存在し得る。代替として、プロセッサおよび記憶媒体はユーザ機器内の個別構成要素として存在し得る。さらに、いくつかの態様では、任意の適切なコンピュータプログラム製品は、本開示の態様のうちの１つまたは複数に関係する機能を与えるために実行可能な（たとえば、少なくとも１つのコンピュータによって実行可能な）コードを備えるコンピュータ可読媒体を備え得る。いくつかの態様では、コンピュータプログラム製品はパッケージ材料を備え得る。
【０２４０】
[00263]１つまたは複数の例示的な態様では、説明した機能は、ハードウェア、ソフトウェア、ファームウェア、またはそれらの任意の組合せで実装され得る。ソフトウェアで実装される場合、機能は、１つもしくは複数の命令またはコードとしてコンピュータ可読媒体上に記憶されるか、あるいはコンピュータ可読媒体を介して送信され得る。コンピュータ可読媒体は、ある場所から他の場所へのコンピュータプログラムの転送を容易にする任意の媒体を含む、コンピュータ記憶媒体と通信媒体の両方を含む。コンピュータ可読媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、あるいは命令もしくはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、もしくは赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体、コンピュータ可読記憶媒体、コンピュータ可読記憶デバイスなど）を備え得る。そのような非一時的コンピュータ可読媒体（たとえば、コンピュータ可読記憶デバイス）は、本明細書で説明した、またはさもなければ知られている媒体（たとえば、メモリデバイス、媒体ディスクなど）の有形形態のいずれかを備え得る。さらに、いくつかの態様では、コンピュータ可読媒体は（たとえば、信号を備える）一時的コンピュータ可読媒体を備え得る。上記の組合せもコンピュータ可読媒体の範囲内に含まれるべきである。コンピュータ可読媒体は、任意の適切なコンピュータプログラム製品内に実装され得ることを諒解されたい。本明細書では特定の態様が記載されるが、これらの態様の多くの変形形態および置換は本開示の範囲内に入る。
【０２４１】
[00264]好ましい態様のいくつかの利益および利点が言及されたが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および説明において示す。
【０２４２】
[00265]開示した態様の前述の説明は、当業者が本開示を実施または使用できるように与えたものである。これらの態様への様々な修正が当業者には容易に明らかになり、本明細書で定義された一般原理が、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
【図１】
2016513890.tif 000003
【図２】
2016513890.tif 000004
【図３】
2016513890.tif 000005
【図４】
2016513890.tif 000006
【図５】
2016513890.tif 000007
【図６】
2016513890.tif 000008
【図７】
2016513890.tif 000009
【図８】
2016513890.tif 000010
【図９】
2016513890.tif 000011
【図１０】
2016513890.tif 000012
【図１１】
2016513890.tif 000013
【図１２】
2016513890.tif 000014
【図１３】
2016513890.tif 000015
【図１４】
2016513890.tif 000016
【図１５】
2016513890.tif 000017
【図１６】
2016513890.tif 000018
【図１７】
2016513890.tif 000019
【図１８】
2016513890.tif 000020
【図１９】
2016513890.tif 000021
【図２０】
2016513890.tif 000022
【図２１】
2016513890.tif 000023
【図２２】
2016513890.tif 000024
【図２３】
2016513890.tif 000025
【図２４】
2016513890.tif 000026
【図２５】
2016513890.tif 000027
【図２６】
2016513890.tif 000028
【図２７】
2016513890.tif 000029
【図２８】
2016513890.tif 000030
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
ワイヤレス通信用に構成された装置であって、
ビーコン間隔内で複数のシグナリング期間と複数の情報転送期間とを指定するスケジュールを受信するように構成され、前記シグナリング期間のうちの特定の１つの中で制御信号を受信するようにさらに構成された受信機、ここにおいて、前記シグナリング期間の各々は、その後に前記ビーコン間隔内の前記情報転送期間のそれぞれ１つが続く、と、
前記特定のシグナリング期間の後に続く、前記情報転送期間のうちの特定の１つの中で情報を転送するために、前記特定のシグナリング期間中に前記制御信号を受信する結果として、アクティブ状態で動作するように構成された処理システムと
を備え、
前記スケジュールは、親装置から受信され、
前記装置は、前記親装置のサービスセット識別子を再ブロードキャストするように構成された送信機をさらに備える、装置。
【請求項２】
前記制御信号は、ヌルデータパケット（ＮＤＰ）ページングフレームを備える、請求項１に記載の装置。
【請求項３】
前記情報転送期間は、前記装置のためのウェイク時間に対応する、
請求項１に記載の装置。
【請求項４】
前記特定の情報転送期間は、前記特定のシグナリング期間の後に、スリープ期間をおいて続く、
請求項１に記載の装置。
【請求項５】
前記制御信号は、前記装置のための情報転送が、前記特定の情報転送期間中の前記特定のシグナリング期間の後に続くべきかどうかを示す、
請求項１に記載の装置。
【請求項６】
前記処理システムは、前記情報を転送するために、前記特定の情報転送期間中に前記アクティブ状態を起動するかどうかを決定するようにさらに構成され、
前記決定は、前記制御信号が前記装置のための情報転送が前記特定のシグナリング期間の後に続くべきであることを示すかどうかに基づく
請求項５に記載の装置。
【請求項７】
前記処理システムは、前記制御信号の前記受信の結果として、前記特定の情報転送期間中に情報転送を起動すると決定するようにさらに構成され、
前記装置は、前記情報転送を起動するための前記決定の結果として、節電ポール（ＰＳ  Ｐｏｌｌ）インジケーションを送信するように構成された送信機をさらに備える請求項１に記載の装置。
【請求項８】
通信の方法であって、
ビーコン間隔内で複数のシグナリング期間と複数の情報転送期間とを指定するスケジュールを受信すること、ここにおいて、前記シグナリング期間の各々は、その後に前記ビーコン間隔内の前記情報転送期間のそれぞれ１つが続く、と、
前記シグナリング期間のうちの特定の１つの中で制御信号を受信することと、
前記特定のシグナリング期間中に前記制御信号を受信する結果として、前記特定のシグナリング期間の後に続く、前記情報転送期間のうちの特定の１つの中で情報を転送するためにアクティブ状態で動作することと
を備え、
前記スケジュールは、親装置から第１の装置によって受信され、
前記第１の装置は、前記親装置のサービスセット識別子を再ブローキャストする、方法。
【請求項９】
前記制御信号は、ヌルデータパケット（ＮＤＰ）ページングフレームを備える、請求項８に記載の方法。
【請求項１０】
前記情報転送期間は、前記スケジュールを受信する装置のためのウェイク時間に対応する、
請求項８に記載の方法。
【請求項１１】
前記特定の情報転送期間は、前記特定のシグナリング期間の後に、スリープ期間をおいて続く、
請求項８に記載の方法。
【請求項１２】
前記制御信号は、前記スケジュールを受信する装置のための情報転送が、前記特定の情報転送期間中の前記特定のシグナリング期間の後に続くべきかどうかを示す、請求項８に記載の方法。
【請求項１３】
前記情報を転送するために、前記特定の情報転送期間中に前記アクティブ状態を起動するかどうかを決定することをさらに備え、前記決定は、前記制御信号が前記装置のための情報転送が前記特定のシグナリング期間の後に続くべきであることを示すかどうかに基づく、
請求項１２に記載の方法。
【請求項１４】
ワイヤレス通信用に構成された装置であって、
ビーコン間隔内で複数のシグナリング期間と複数の情報転送期間とを指定するスケジュールを定義するように構成され、他の装置が前記シグナリング期間のうちの特定の１つの後に続く、前記情報転送期間のうちの特定の１つの中で情報を転送するためにアクティブ状態で動作するべきであると決定するようにさらに構成された処理システム、ここにおいて、前記シグナリング期間の各々は、その後に前記ビーコン間隔内の前記情報転送期間のそれぞれ１つが続く、と、
前記決定の結果として、前記特定のシグナリング期間中に制御信号を前記他の装置に送信するように構成された送信機と
を備え、
前記装置は、親装置に関連付けられ、
前記装置は、前記親装置のサービスセット識別子を再ブローキャストする、装置。
【請求項１５】
前記制御信号は、ヌルデータパケット（ＮＤＰ）ページングフレームを備える、請求項１４に記載の装置。
【請求項１６】
前記情報転送期間は、前記他の装置のためのウェイク時間に対応する、
請求項１４に記載の装置。
【請求項１７】
前記特定の情報転送期間は、前記特定のシグナリング期間の後に、スリープ期間をおいて続く、
請求項１４に記載の装置。
【請求項１８】
前記制御信号は、前記他の装置のための情報転送が、前記特定の情報転送期間中の前記特定のシグナリング期間の後に続くべきかどうかを示す、
請求項１４に記載の装置。
【請求項１９】
パケットを受信することと、
前記パケットの宛先を識別するために前記パケットを処理することと、
それを介して前記パケットが前記宛先に送られることが可能な経路の一部であるとして前記他の装置を識別すること、ここにおいて、前記他の装置がアクティブ状態で動作するべきであるという前記決定が、前記経路の一部であるという前記他の装置の前記識別に基づく、と、
前記特定の情報転送期間中に前記パケットを前記他の装置に転送することと
をさらに備える、請求項１４に記載の装置。
【請求項２０】
前記処理システムは、前記装置の電力消費要件、前記他の装置の電力消費要件、前記装置におけるトラフィックに関連付けられたレイテンシ要件、前記他の装置におけるトラフィックに関連付けられたレイテンシ要件、または前記装置がメンバである装置のマルチホップ階層のレベルの数のうちの少なくとも１つに基づいて、前記シグナリング期間および前記情報転送期間を定義するようにさらに構成される、
請求項１４に記載の装置。
【請求項２１】
前記装置は、マルチホップ階層内で展開される装置のセットのメンバであり、
前記装置は、装置の前記セットの任意の他の装置からスケジューリング情報を受信せずに前記スケジュールを定義する、
請求項１４に記載の装置。
【請求項２２】
通信の方法であって、
ビーコン間隔内で複数のシグナリング期間と複数の情報転送期間とを指定するスケジュールを定義すること、ここにおいて、前記シグナリング期間の各々は、その後に前記ビーコン間隔内の前記情報転送期間のそれぞれ１つが続く、と、
装置が、前記シグナリング期間のうちの特定の１つの後に続く、前記情報転送期間のうちの特定の１つの中で情報を転送するためにアクティブ状態で動作するべきであると決定することと、
前記決定の結果として、前記特定のシグナリング期間中に制御信号を前記装置に送信することと
を備え、
前記スケジュールは、親装置に関連付けられた他の装置によって定義され、
前記他の装置は、前記親装置のサービスセット識別子を再ブローキャストする、方法。
【請求項２３】
前記制御信号は、ヌルデータパケット（ＮＤＰ）ページングフレームを備える、請求項２２に記載の方法。
【請求項２４】
前記情報転送期間は、前記装置のためのウェイク時間に対応する、
請求項２２に記載の方法。
【請求項２５】
前記特定の情報転送期間は、前記特定のシグナリング期間の後に、スリープ期間をおいて続く、
請求項２２に記載の方法。
【請求項２６】
前記制御信号は、前記装置のための情報転送が、前記特定の情報転送期間中の前記特定のシグナリング期間の後に続くべきかどうかを示す、
請求項２２に記載の方法。
【請求項２７】
ワイヤレス通信用のコンピュータプログラム製品であって、命令を備えるコンピュータ可読媒体を備え、前記命令は、実行されると、請求項８−１２または２２−２６のうちのいずれか一項に記載の方法を実行することを装置に行わせる、コンピュータプログラム製品。
【手続補正２】
【補正対象書類名】明細書
【補正対象項目名】０２４２
【補正方法】変更
【補正の内容】
【０２４２】
[00265]開示した態様の前述の説明は、当業者が本開示を実施または使用できるように与えたものである。これらの態様への様々な修正が当業者には容易に明らかになり、本明細書で定義された一般原理が、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に本願発明の当初の特許請求の範囲に記載された発明を付記する。
［Ｃ１］
ワイヤレス通信用に構成された装置であって、
ビーコン間隔内で複数のシグナリング期間と複数の情報転送期間とを指定するスケジュールを受信するように構成され、前記シグナリング期間のうちの特定の１つの中で制御信号を受信するようにさらに構成された受信機、ここにおいて、前記シグナリング期間の各々は、その後に前記ビーコン間隔内の前記情報転送期間のそれぞれ１つが続く、と、
前記特定のシグナリング期間の後に続く、前記情報転送期間のうちの特定の１つの中で情報を転送するために、前記特定のシグナリング期間中に前記制御信号を受信する結果として、アクティブ状態で動作するように構成された処理システムと
を備える装置。
［Ｃ２］
前記制御信号は、ヌルデータパケット（ＮＤＰ）ページングフレームを備える、Ｃ１に記載の装置。
［Ｃ３］
前記情報転送期間は、前記装置のためのウェイク時間に対応する、
Ｃ１に記載の装置。
［Ｃ４］
前記特定の情報転送期間は、前記特定のシグナリング期間の後に、スリープ期間をおいて続く、
Ｃ１に記載の装置。
［Ｃ５］
前記制御信号は、前記装置のための情報転送が、前記特定の情報転送期間中の前記特定のシグナリング期間の後に続くべきかどうかを示す、
Ｃ１に記載の装置。
［Ｃ６］
前記処理システムは、前記情報を転送するために、前記特定の情報転送期間中に前記アクティブ状態を起動するかどうかを決定するようにさらに構成され、
前記決定は、前記制御信号が前記装置のための情報転送が前記特定のシグナリング期間の後に続くべきであることを示すかどうかに基づく
Ｃ５に記載の装置。
［Ｃ７］
前記処理システムは、前記制御信号の前記受信の結果として、前記特定の情報転送期間中に情報転送を起動すると決定するようにさらに構成され、
前記装置は、前記情報転送を起動するための前記決定の結果として、節電ポール（ＰＳ
Ｐｏｌｌ）インジケーションを送信するように構成された送信機をさらに備えるＣ１に記載の装置。
［Ｃ８］
前記スケジュールは、親装置から受信され、
前記装置は、前記親装置のサービスセット識別子を再ブロードキャストするように構成された送信機をさらに備える、
Ｃ１に記載の装置。
［Ｃ９］
通信の方法であって、
ビーコン間隔内で複数のシグナリング期間と複数の情報転送期間とを指定するスケジュールを受信すること、ここにおいて、前記シグナリング期間の各々は、その後に前記ビーコン間隔内の前記情報転送期間のそれぞれ１つが続く、と、
前記シグナリング期間のうちの特定の１つの中で制御信号を受信することと、
前記特定のシグナリング期間中に前記制御信号を受信する結果として、前記特定のシグナリング期間の後に続く、前記情報転送期間のうちの特定の１つの中で情報を転送するためにアクティブ状態で動作することと
を備える方法。
［Ｃ１０］
前記制御信号は、ヌルデータパケット（ＮＤＰ）ページングフレームを備える、Ｃ９に記載の方法。
［Ｃ１１］
前記情報転送期間は、前記スケジュールを受信する装置のためのウェイク時間に対応する、
Ｃ９に記載の方法。
［Ｃ１２］
前記特定の情報転送期間は、前記特定のシグナリング期間の後に、スリープ期間をおいて続く、
Ｃ９に記載の方法。
［Ｃ１３］
前記制御信号は、前記スケジュールを受信する装置のための情報転送が、前記特定の情報転送期間中の前記特定のシグナリング期間の後に続くべきかどうかを示す、Ｃ９に記載の方法。
［Ｃ１４］
前記情報を転送するために、前記特定の情報転送期間中に前記アクティブ状態を起動するかどうかを決定することをさらに備え、前記決定は、前記制御信号が前記装置のための情報転送が前記特定のシグナリング期間の後に続くべきであることを示すかどうかに基づく、
Ｃ１３に記載の方法。
［Ｃ１５］
前記スケジュールは、親装置から第１の装置によって受信され、
前記第１の装置は、前記親装置のサービスセット識別子を再ブローキャストする、Ｃ９に記載の方法。
［Ｃ１６］
ワイヤレス通信用に構成された装置であって、
ビーコン間隔内で複数のシグナリング期間と複数の情報転送期間とを指定するスケジュールを定義するように構成され、他の装置が前記シグナリング期間のうちの特定の１つの後に続く、前記情報転送期間のうちの特定の１つの中で情報を転送するためにアクティブ状態で動作するべきであると決定するようにさらに構成された処理システム、ここにおいて、前記シグナリング期間の各々は、その後に前記ビーコン間隔内の前記情報転送期間のそれぞれ１つが続く、と、
前記決定の結果として、前記特定のシグナリング期間中に制御信号を前記他の装置に送信するように構成された送信機と
を備える装置。
［Ｃ１７］
前記制御信号は、ヌルデータパケット（ＮＤＰ）ページングフレームを備える、Ｃ１６に記載の装置。
［Ｃ１８］
前記情報転送期間は、前記他の装置のためのウェイク時間に対応する、
Ｃ１６に記載の装置。
［Ｃ１９］
前記特定の情報転送期間は、前記特定のシグナリング期間の後に、スリープ期間をおいて続く、
Ｃ１６に記載の装置。
［Ｃ２０］
前記制御信号は、前記他の装置のための情報転送が、前記特定の情報転送期間中の前記特定のシグナリング期間の後に続くべきかどうかを示す、
Ｃ１６に記載の装置。
［Ｃ２１］
パケットを受信することと、
前記パケットの宛先を識別するために前記パケットを処理することと、
それを介して前記パケットが前記宛先に送られることが可能な経路の一部であるとして前記他の装置を識別すること、ここにおいて、前記他の装置がアクティブ状態で動作するべきであるという前記決定が、前記経路の一部であるという前記他の装置の前記識別に基づく、と、
前記特定の情報転送期間中に前記パケットを前記他の装置に転送することとをさらに備える、Ｃ１６に記載の装置。
［Ｃ２２］
前記処理システムは、前記装置の電力消費要件、前記他の装置の電力消費要件、前記装置におけるトラフィックに関連付けられたレイテンシ要件、前記他の装置におけるトラフィックに関連付けられたレイテンシ要件、または前記装置がメンバである装置のマルチホップ階層のレベルの数のうちの少なくとも１つに基づいて、前記シグナリング期間および前記情報転送期間を定義するようにさらに構成される、
Ｃ１６に記載の装置。
［Ｃ２３］
前記装置は、マルチホップ階層内で展開される装置のセットのメンバであり、
前記装置は、装置の前記セットの任意の他の装置からスケジューリング情報を受信せずに前記スケジュールを定義する、
Ｃ１６に記載の装置。
［Ｃ２４］
前記装置は、親装置に関連付けられ、
前記装置は、前記親装置のサービスセット識別子を再ブローキャストする、Ｃ１６に記載の装置。
［Ｃ２５］
通信の方法であって、
ビーコン間隔内で複数のシグナリング期間と複数の情報転送期間とを指定するスケジュールを定義すること、ここにおいて、前記シグナリング期間の各々は、その後に前記ビーコン間隔内の前記情報転送期間のそれぞれ１つが続く、と、
装置が、前記シグナリング期間のうちの特定の１つの後に続く、前記情報転送期間のうちの特定の１つの中で情報を転送するためにアクティブ状態で動作するべきであると決定することと、
前記決定の結果として、前記特定のシグナリング期間中に制御信号を前記装置に送信することと
を備える方法。
［Ｃ２６］
前記制御信号は、ヌルデータパケット（ＮＤＰ）ページングフレームを備える、Ｃ２５に記載の方法。
［Ｃ２７］
前記情報転送期間は、前記装置のためのウェイク時間に対応する、
Ｃ２５に記載の方法。
［Ｃ２８］
前記特定の情報転送期間は、前記特定のシグナリング期間の後に、スリープ期間をおいて続く、
Ｃ２５に記載の方法。
［Ｃ２９］
前記制御信号は、前記装置のための情報転送が、前記特定の情報転送期間中の前記特定のシグナリング期間の後に続くべきかどうかを示す、
Ｃ２５に記載の方法。
［Ｃ３０］
前記スケジュールは、親装置に関連付けられた他の装置によって定義され、
前記他の装置は、前記親装置のサービスセット識別子を再ブローキャストする、Ｃ２５に記載の方法。
【国際調査報告】
2016513890.tif 000031
2016513890.tif 000032
2016513890.tif 000033